(57)【要約】      （修正有）【課題】熱交換器に吸着剤を直接担持させた空気調和装置において、吸着剤による除湿能力や加湿能力の低下を抑え、装置の信頼性を高める。【解決手段】吸着剤を担持させた吸着熱交換器13,14 を通過する吸着用空気の除湿もしくは再生用空気の加湿を行う潜熱処理素子50を設ける。この潜熱処理素子50は、吸着用空気の流通通路と再生用空気の流通通路とに跨って配置されるとともに、回転式の吸着素子（吸着ロータ）により構成されている。【選択図】図１
2005164220.tif 000002
【特許請求の範囲】
【請求項１】
熱媒体が流れる熱媒体回路(20,40) を備え、該熱媒体回路(20,40) 内に、熱媒体と空気とが熱交換を行う複数の熱交換器(11,12,13,14) を有する空気調和装置であって、
少なくとも１つの熱交換器(13,14) が、表面に吸着剤を担持した吸着熱交換器(13,14) により構成され、該吸着熱交換器(13,14) は、吸着剤による水分の吸着と該吸着剤の再生とが可能に構成され、
上記吸着熱交換器(13,14) を通過する吸着用空気または再生用空気の流通路に、空気の潜熱処理を行う潜熱処理素子(50)が設けられていることを特徴とする空気調和装置。
【請求項２】
熱媒体が流れる熱媒体回路(20,40) を備え、該熱媒体回路(20,40) 内に、熱媒体と空気とが熱交換を行う複数の熱交換器(11,12,13,14) を有する空気調和装置であって、
上記複数の熱交換器(11,12,13,14) は、それぞれ表面に吸着剤を担持した第１吸着熱交換器(13)と第２吸着熱交換器(14)を含み、各吸着熱交換器(13,14) は、吸着剤による水分の吸着と該吸着剤の再生とが可能に構成され、
上記第１吸着熱交換器(13)及び第２吸着熱交換器(14)の一方を通過する吸着用空気とその他方を通過する再生用空気の流通路に、空気の潜熱処理を行う潜熱処理素子(50)が設けられていることを特徴とする空気調和装置。
【請求項３】
請求項２に記載の空気調和装置において、
潜熱処理素子(50)は、吸着用空気の流通通路と再生用空気の流通通路とに跨って配置されるとともに回転可能に構成された吸着素子(50)であることを特徴とする空気調和装置。
【請求項４】
請求項２に記載の空気調和装置において、
潜熱処理素子(50)は、それぞれ水分の吸着と脱離とを行う第１吸着素子(51)(53)及び第２吸着素子(52)(54)により構成され、第１吸着素子(51)(53)で吸着用空気の水分を吸着すると同時に第２吸着素子(52)(54)を再生用空気で再生する動作と、第１吸着素子(51)(53)を再生用空気で再生すると同時に第２吸着素子(52)(54)で吸着用空気の水分を吸着する動作とを交互に行うように構成されていることを特徴とする空気調和装置。
【請求項５】
請求項４に記載の空気調和装置において、
第１吸着素子(53)及び第２吸着素子(54)は、吸着用空気が流通する際に生じる吸着熱を吸熱する冷却用空気が流れるように構成されていることを特徴とする空気調和装置。
【請求項６】
請求項１から５のいずれか１に記載の空気調和装置において、
熱媒体回路(20,40) は、１つの空気熱交換器(11)と、少なくとも２つの吸着熱交換器(13,14) とを備えていることを特徴とする空気調和装置。
【請求項７】
請求項１から５のいずれか１に記載の空気調和装置において、
熱媒体回路(20,40) は、少なくとも２つの空気熱交換器(11,12) と、少なくとも２つの吸着熱交換器(13,14) とを備えていることを特徴とする空気調和装置。
【請求項８】
請求項１から７のいずれか１に記載の空気調和装置において、
熱媒体回路(20)は、冷媒が循環して蒸気圧縮式冷凍サイクルを行う冷媒回路(20)により構成されていることを特徴とする空気調和装置。
【請求項９】
請求項１から７のいずれか１に記載の空気調和装置において、
熱媒体回路(40)は、冷温水が流れる冷温水回路(40)により構成されていることを特徴とする空気調和装置。
【請求項１０】
請求項１から７のいずれか１に記載の空気調和装置において、
熱媒体回路(20,40) は、冷媒が循環して蒸気圧縮式冷凍サイクルを行う冷媒回路(20)と、冷温水が流れる冷温水回路(40)により構成されていることを特徴とする空気調和装置。
【請求項１１】
請求項１から１０のいずれか１に記載の空気調和装置において、
吸着熱交換器(13,14) で吸着剤を冷却しながら該吸着熱交換器(13,14) を流れる空気の水分を吸着剤で吸着する吸湿動作と、吸着熱交換器(13,14) で吸着剤を加熱しながら該吸着熱交換器(13,14) を流れる空気に水分を放出させて吸着剤を再生する放湿動作とを、熱媒体回路(20,40) における熱媒体の流れと空気の流通とを切り換えて行う制御手段(15)を備えていることを特徴とする空気調和装置。
【請求項１２】
請求項１１に記載の空気調和装置において、
制御手段(15)には、吸湿動作と放湿動作を切り換える時間間隔を潜熱負荷に応じて設定する切換間隔設定手段(16)が設けられていることを特徴とする空気調和装置。
【請求項１３】
請求項１２に記載の空気調和装置において、
切換間隔設定手段(16)は、潜熱負荷が大きくなるほど吸湿動作と放湿動作を切り換える時間間隔の設定値を小さくするように構成されていることを特徴とする空気調和装置。
【発明の詳細な説明】
【技術分野】
【０００１】
本発明は、空気調和装置に関し、特に、吸着熱交換器を用いた空気調和装置に関するものである。
【背景技術】
【０００２】
従来より、例えば、室内空気の顕熱処理と潜熱処理を別々に行うことのできる空気調和装置（空気調和システム）として、蒸気圧縮式冷凍サイクルにより主に空気の顕熱処理を行うとともに、空気中の水分を吸着／脱着可能な吸着剤により空気の潜熱処理を行うようにしたものがある（例えば、特許文献１参照）。この空気調和システムでは、室内で空気を循環させて顕熱処理をする空調機と、室外空気の湿度を調節して室内に供給することで潜熱処理をするデシカント外調機とを備えている。
【０００３】
上記デシカント外調機では、空気中の水分を吸着剤で吸着する吸湿動作と、吸着剤に吸着された水分を空気に放出する放湿（再生）動作とが交互に行われ、吸湿動作時には空気が減湿され、放湿動作時には空気が加湿される。そして、冷房運転時には室外空気を吸湿動作によって減湿して室内に供給し、暖房運転時には室外空気を放湿動作によって加湿して室内に供給するようにしている。
【０００４】
この従来のシステムでは、空調機とデシカント外調機が別々に設置されるため、大きな設置スペースが必要であり、コストも高くなりがちである。これに対し、空調機とデシカント外調機とを１つのケーシング内に収納して一体化することで１カ所に設置可能に構成することが可能としても、装置が大型になることは避けられず、しかも構成が複雑になりやすい問題がある。
【０００５】
また、デシカント外調機には吸着剤を再生するための加熱手段が必要であり、上記特許文献１のシステムでは、その加熱手段としてヒートポンプ装置を用いている。このため、従来の構成では、空調機の蒸気圧縮式冷凍サイクルとデシカント外調機のヒートポンプ装置とをそれぞれ別個に駆動することが必要であるために、ＣＯＰ（成績係数）が低下するおそれがある。
【０００６】
そこで、このような問題を解決するために、空気調和装置の冷媒回路に用いる熱交換器の少なくとも１つを、表面に吸着剤を担持した熱交換器（吸着熱交換器という）にすることが考えられる。このようにすると、冷媒回路を駆動するだけで、室内空気の潜熱処理及び顕熱処理を行えるうえ、吸着剤を再生することもできるので吸着剤の再生専用の加熱手段が不要となる。したがって、装置をコンパクトに構成することが可能となり、ＣＯＰも向上する。
【特許文献１】特開平０９−３１８１２６号公報
【発明の開示】
【発明が解決しようとする課題】
【０００７】
ところで、吸着熱交換器を用いる場合、上記吸着剤は、冷媒が蒸発する際に冷媒に吸熱されて冷却され、この冷却時に室内空気または室外空気の水分を吸着する。このとき、冷媒は空気からも吸熱する。また、上記吸着剤は、冷媒が凝縮する際に冷媒が放熱することにより加熱され、この加熱時に水分を室内空気または室外空気へ放出する。このとき、冷媒は空気へも放熱する。
【０００８】
このように、上記構成では、吸着剤による水分の吸着と同時に空気の冷却が行われるとともに、吸着剤からの水分の放出と同時に空気の加熱が行われる。したがって、吸着剤による吸脱着効果が損なわれ、除湿能力や加湿能力が低下するおそれがある。これは、除加湿のみを行う装置についても同様である。
【０００９】
本発明は、このような問題点に鑑みて創案されたものであり、その目的は、熱交換器に吸着剤を直接担持させた空気調和装置において、除湿能力や加湿能力の低下を抑えることである。
【課題を解決するための手段】
【００１０】
本発明は、吸着熱交換器(13,14) を通過する空気をさらに除湿もしくは加湿することのできる潜熱処理素子(50)を設けるようにしたものである。
【００１１】
具体的に、第１の発明は、熱媒体が流れる熱媒体回路(20,40) を備え、該熱媒体回路(20,40) 内に、熱媒体と空気とが熱交換を行う複数の熱交換器(11,12,13,14) を有する空気調和装置を前提としている。そして、この空気調和装置は、少なくとも１つの熱交換器(13,14) が、表面に吸着剤を担持した吸着熱交換器(13,14) により構成されるとともに、該吸着熱交換器(13,14) は、吸着剤による水分の吸着と該吸着剤の再生とが可能に構成され、上記吸着熱交換器(13,14) を通過する吸着用空気または再生用空気の流通路に、空気の潜熱処理を行う潜熱処理素子(50)が設けられていることを特徴としている。
【００１２】
この第１の発明では、吸着熱交換器(13,14) において室内空気の潜熱処理を行うことができる。具体的には、吸着剤を冷却しながら空気中の水分を吸着し、この空気を室内に供給することで室内を減湿できる一方で、吸着剤を加熱しながら空気中に水分を放出（吸着剤を再生）し、この空気を室内に供給することで室内を加湿できる。
【００１３】
この際、吸着熱交換器(13,14) を通過する吸着用空気または再生用空気は、上記潜熱処理素子(50)も通過する。したがって、この発明では、該潜熱処理素子(50)での吸着用空気の減湿または再生用空気の加湿と、吸着熱交換器(13,14) での吸着用空気の減湿または再生用空気の加湿を行うことができる。なお、室内空気の顕熱処理は、吸着熱交換器(13,14) で行うことも可能であるし、他の熱交換器(11,12) で行うことも可能である。また、場合によっては、潜熱処理のみを行うこととしてもよい。
【００１４】
第２の発明は、第１の発明と同様に、熱媒体が流れる熱媒体回路(20,40) を備え、該熱媒体回路(20,40) 内に、熱媒体と空気とが熱交換を行う複数の熱交換器(11,12,13,14) を有する空気調和装置を前提としている。そして、この空気調和装置は、上記複数の熱交換器(11,12,13,14) が、それぞれ表面に吸着剤を担持した第１吸着熱交換器(13)と第２吸着熱交換器(14)を含むとともに、各吸着熱交換器(13,14) は、吸着剤による水分の吸着と該吸着剤の再生とが可能に構成され、上記第１吸着熱交換器(13)及び第２吸着熱交換器(14)の一方を通過する吸着用空気とその他方を通過する再生用空気の流通路に、空気の潜熱処理を行う潜熱処理素子(50)が設けられていることを特徴としている。
【００１５】
この第２の発明では、第１吸着熱交換器(13)と第２吸着熱交換器(14)において室内空気の潜熱処理を行うことができる。具体的には、第１吸着熱交換器(13)で吸着剤を冷却しながら空気中の水分を吸着すると同時に、第２吸着熱交換器(14)で吸着剤を加熱しながら空気中に水分を放出する（吸着剤を再生する）第１の運転動作と、第１吸着熱交換器(13)で吸着剤を加熱しながら空気中に水分を放出する（吸着剤を再生する）と同時に、第２吸着熱交換器(14)で吸着剤を冷却しながら空気中の水分を吸着する第２の運転動作とを交互に繰り返す際に、吸着剤で水分を奪った空気を室内に供給すると室内を減湿でき、吸着剤から水分を与えた空気を室内に供給すると室内を加湿できる。
【００１６】
この際、吸着熱交換器(13,14) を通過する吸着用空気または再生用空気は、上記潜熱処理素子(50)も通過する。したがって、この発明では、該潜熱処理素子(50)での吸着用空気の減湿または再生用空気の加湿と、吸着熱交換器(13,14) での吸着用空気の減湿または再生用空気の加湿を行うことができる。こうすることにより、空気の除湿能力または加湿能力が向上する。なお、室内空気の顕熱処理は、吸着熱交換器(13,14) で行うことも可能であるし、他の熱交換器(11,12) で行うことも可能である。また、場合によっては、潜熱処理のみを行うこととしてもよい。
【００１７】
第３の発明は、第２の発明の空気調和装置において、潜熱処理素子(50)が、吸着用空気の流通通路と再生用空気の流通通路とに跨って配置されるとともに回転可能に構成された吸着素子(50)（いわゆる回転式の吸着素子(50)）であることを特徴としている。
【００１８】
この第３の発明では、回転式の吸着素子(50)を回転させることで、吸着用空気が流通して除湿される部位と、再生用空気が流通して加湿される部位とが変位し、吸着用空気と再生用空気とが間接的に潜熱交換する。
【００１９】
第４の発明は、第２の発明の空気調和装置において、潜熱処理素子(50)が、それぞれ水分の吸着と脱離とを行う第１吸着素子(51)(53)及び第２吸着素子(52)(54)により構成され、第１吸着素子(51)(53)で吸着用空気の水分を吸着すると同時に第２吸着素子(52)(54)を再生用空気で再生する動作と、第１吸着素子(51)(53)を再生用空気で再生すると同時に第２吸着素子(52)(54)で吸着用空気の水分を吸着する動作とを交互に行う（バッチ式の吸湿動作／放湿動作を行う）ように構成されていることを特徴としている。
【００２０】
この第４の発明では、第１吸着素子(51)(53)及び第２吸着素子(52)(54)でバッチ式の吸湿動作／放湿動作を行うことにより、吸着用空気と再生用空気が連続的に潜熱処理される。その際、第１吸着素子(51)及び第２吸着素子(52)(54)を流れる吸着用空気または再生用空気は、吸着熱交換器(13,14) も通過するので、空気の除湿能力または加湿能力が向上する。
【００２１】
第５の発明は、第４の発明の空気調和装置において、第１吸着素子(53)及び第２吸着素子(54)が、吸着用空気が流通する際に生じる吸着熱を吸熱する冷却用空気が流れるように構成されていることを特徴としている。
【００２２】
この第５の発明では、第１吸着素子(53)及び第２吸着素子(54)において、吸着用空気の水分を吸着するときに発生する吸着熱が、冷却用空気に吸熱される。ここで、吸着熱により吸着素子(53,54) の温度が上昇すると吸着性能が低下するが、このように冷却用空気で吸着熱を吸熱して吸着素子(53,54) の温度上昇を抑えることにより、吸着性能を高められる。
【００２３】
第６の発明は、第１から第５のいずれか１の発明の空気調和装置において、例えば図１，図２に示すように、熱媒体回路(20,40) が、１つの空気熱交換器(11)と、少なくとも２つの吸着熱交換器(13,14) とを備えていることを特徴としている。
【００２４】
この第６の発明では、２つの吸着熱交換器(13,14) を室内に設置し、その一方を蒸発器（または冷却器）とし、他方を凝縮器（または加熱器）としながら、蒸発器（または冷却器）となる吸着熱交換器(13,14) と凝縮器（または加熱器）となる吸着熱交換器(13,14) を交互に切り換えることで、室内空気の除湿や加湿を連続的に行うことができる。この場合、吸着熱交換器(13,14) は、主に室内空気の潜熱処理を行う一方、顕熱処理も行う。具体的に、水分の吸着時には、吸着開始直後ほど潜熱処理量（除湿量）が多く、吸着量が飽和状態に近づくに従って空気の顕熱処理量（冷却量）が多くなる状態で処理が行われる。また、再生時には、再生開始直後ほど潜熱処理量（加湿量）が多く、水分量が少なくなるに従って空気の顕熱処理量（加熱量）が多くなる状態で処理が行われる。
【００２５】
第７の発明は、第１から第５のいずれか１の発明の空気調和装置において、例えば図５，図６に示すように、熱媒体回路(20,40) が、少なくとも２つの空気熱交換器(11,12) と、少なくとも２つの吸着熱交換器(13,14) とを備えていることを特徴としている。
【００２６】
この第７の発明では、２つの吸着熱交換器(13,14) と１つの空気熱交換器(12)とを室内に配置し、吸着熱交換器(13,14) の一方を蒸発器（または冷却器）とし、他方を凝縮器（または加熱器）としながら、蒸発器（または冷却器）となる吸着熱交換器(13,14) と凝縮器（または加熱器）となる吸着熱交換器(13,14) を交互に切り換えることで、室内空気の除湿や加湿を連続的に行うことができる。また、上記の１つの空気熱交換器(11)を用い、室内空気の冷却や加熱を連続的に行うことができる。このため、この発明では、顕熱処理を行う空気熱交換器(12)と潜熱処理を行う吸着熱交換器(13,14) の両方を用いて、冷房時に除湿を連続的に行うこともできるし、暖房時に加湿を連続的に行うこともできる。
【００２７】
第８の発明は、第１から第７のいずれか１の発明の空気調和装置において、熱媒体回路(20)が、冷媒が循環して蒸気圧縮式冷凍サイクルを行う冷媒回路(20)により構成されていることを特徴としている
この第８の発明では、吸着熱交換器(13,14) を冷媒回路(20)の蒸発器または凝縮器にすることで吸着剤における水分の吸着または再生を行うことが可能となり、空気熱交換器(11,12) を冷媒回路(20)の凝縮器または蒸発器にすることで空気の加熱または冷却を行うことが可能となる。この場合も冷媒回路(20)の複数の熱交換器(11,12,13,14) の少なくとも１つを吸着熱交換器(13,14) にするだけで吸着剤を再生できる。
【００２８】
第９の発明は、第１から第７のいずれか１の発明の空気調和装置において、熱媒体回路(40)が、冷温水の流れる冷温水回路(40)により構成されていることを特徴としている。
【００２９】
この第９の発明では、吸着熱交換器(13,14) を冷温水回路(40)の加熱器または冷却器にすることで吸着剤における水分の吸着または再生を行うことが可能となり、空気熱交換器(11,12) を冷温水回路(40)の加熱器または冷却器にすることで空気の加熱または冷却を行うことが可能となる。この場合も冷温水回路(40)の複数の熱交換器(11,12,13,14) の少なくとも１つを吸着熱交換器(13,14) にするだけで吸着剤を再生できる。
【００３０】
第１０の発明は、第１から第７のいずれか１の発明の空気調和装置において、熱媒体回路(20,40) が、冷媒が循環して蒸気圧縮式冷凍サイクルを行う冷媒回路(20)と、冷温水が流れる冷温水回路(40)により構成されていることを特徴としている。
【００３１】
この第１０の発明では、吸着熱交換器(13,14) を冷媒回路(20)の凝縮器もしくは蒸発器または冷温水回路(40)の加熱器もしくは冷却器にすることで吸着剤における水分の吸着または再生を行うことが可能となり、空気熱交換器(11,12) を冷媒回路(20)の凝縮器もしくは蒸発器または冷温水回路(40)の加熱器もしくは冷却器にすることで空気の加熱または冷却を行うことが可能となる。この場合も冷媒回路(20)及び冷温水回路(40)の複数の熱交換器(11,12,13,14) の少なくとも１つを吸着熱交換器(13,14) にするだけで吸着剤を再生できる。
【００３２】
第１１の発明は、第１から第１０のいずれか１の発明の空気調和装置において、吸着熱交換器(13,14) で吸着剤を冷却しながら該吸着熱交換器(13,14) を流れる空気の水分を吸着剤で吸着する吸湿動作と、吸着熱交換器(13,14) で吸着剤を加熱しながら該吸着熱交換器(13,14) を流れる空気に水分を放出させて吸着剤を再生する放湿動作とを、熱媒体回路(20,40) における熱媒体の流れと空気の流通とを切り換えて行う制御手段(15)を備えていることを特徴としている。
【００３３】
この第１１の発明では、吸湿動作時には、吸着熱交換器(13,14) で吸着剤を冷却しながら、該吸着熱交換器(13,14) を流れる空気の水分が吸着剤に吸着される。また、放湿動作時には、吸着熱交換器(13,14) で吸着剤を加熱しながら、該吸着熱交換器(13,14) を流れる空気に水分を放出させることで、吸着剤が再生される。そして、制御手段(15)により、吸湿動作と放湿動作が交互に切り換えて行われる。
【００３４】
第１２の発明は、第１１の発明の空気調和装置において、制御手段(15)には、吸湿動作と放湿動作を切り換える時間間隔を潜熱負荷に応じて設定する切換間隔設定手段(16)が設けられていることを特徴としている。
【００３５】
また、第１３の発明は、第１２の発明の空気調和装置において、切換間隔設定手段(16)が、潜熱負荷が大きくなるほど吸湿動作と放湿動作を切り換える時間間隔の設定値を小さくするように構成されていることを特徴としている。
【００３６】
これらの第１２，第１３の発明では、吸着剤による水分の吸着量や放出量が、それぞれの運転開始直後は多く、時間が経つにつれて徐々に少なくなることから、室内の潜熱負荷が大きいときは切換頻度を多くすることで除湿量または加湿量を多くし、潜熱負荷が小さいときは切換頻度を少なくすることで除湿量または加湿量を少なくすることができる。つまり、潜熱負荷に見合った運転を確実に行うことが可能となる。
【発明の効果】
【００３７】
上記第１の発明によれば、吸着熱交換器(13,14) を通過する吸着用空気または再生用空気の流通路に、空気の潜熱処理を行う潜熱処理素子(50)を設けているので、吸着熱交換器(13,14) を通過する吸着用空気または再生用空気が、潜熱処理素子(50)も通過することになる。したがって、吸着用空気または再生用空気を潜熱処理素子(50)と吸着熱交換器(13,14) で処理できるため、空気の除湿能力または加湿能力を高めることが可能となる。
【００３８】
上記第２の発明によれば、第１吸着熱交換器(13)及び第２吸着熱交換器(14)の一方を通過する吸着用空気とその他方を通過する再生用空気の流通路に、空気の潜熱処理を行う潜熱処理素子(50)を設けているので、吸着熱交換器(13,14) を通過する吸着用空気または再生用空気が、潜熱処理素子(50)も通過することになる。したがって、吸着用空気及び再生用空気を潜熱処理素子(50)と第１，第２吸着熱交換器(14)で処理できるため、空気の除湿能力または加湿能力を高めることが可能となる。
【００３９】
上記第３の発明によれば、潜熱処理素子(50)として回転式の吸着素子(50)を用いることで、吸着用空気と再生用空気とを間接的に潜熱交換することができる。回転式の吸着素子(50)は、回転速度を変化させることで、吸着用空気と再生用空気の潜熱交換率を変化させることができる。したがって、装置の調湿性能を調整することができる。
【００４０】
上記第４の発明によれば、潜熱処理素子(50)としてバッチ式の吸着素子(51,52)(53,54)を用いることで、吸着用空気と再生用空気を連続的に潜熱処理することができる。また、バッチ式の吸着素子(51,52)(53,54)は、吸着用空気が流れる状態と再生用空気が流れる状態とを切り換えることで、容易に吸湿動作と放湿動作を行うことができる。したがって、潜熱処理素子(50)に要するコストを削減することができる。
【００４１】
上記第５の発明によれば、第１吸着素子(53)及び第２吸着素子(54)に、吸着用空気が流通する際の吸着熱を吸熱する冷却用空気を流すようにしているので、各吸着素子(53,54) 吸着用空気の水分を吸着する際の温度上昇を抑えることにより吸着性能を高めることができる。したがって、空気の除湿能力を高められるとともに、再生時の水分放出量も増やせるので加湿能力も高められる。
【００４２】
上記第６の発明によれば、１つの空気熱交換器(11)と２つの吸着熱交換器(13,14) を用いることによって、冷房と除湿を連続的に行ったり、暖房と加湿を連続的に行ったりすることが可能となる。また、この発明では熱交換器(11,13,14)が３つでよいため、装置構成を簡単にすることができる。
【００４３】
上記第７の発明によれば、２つの空気熱交換器(11,12) と２つの吸着熱交換器(13,14) を用いることによって、冷房と除湿を連続的に行ったり、暖房と加湿を連続的に行ったりすることが可能である。また、冷房除湿時と暖房加湿時のいずれも、顕熱処理を行う空気熱交換器(11,12) と潜熱処理を行う吸着熱交換器(13,14) の両方を用いることにより、潜熱処理量や顕熱処理量を自在に制御することが可能となり、室内の快適性を高められる。
【００４４】
上記第８の発明によれば、熱媒体回路(20)として蒸気圧縮式冷凍サイクルを行う冷媒回路(20)を用いることにより、室内の潜熱負荷や顕熱負荷を処理することができる。また、吸着剤を再生するのに冷媒回路(20)以外の専用の加熱手段は不要であるため、装置構成が複雑になることも防止できる。
【００４５】
上記第９の発明によれば、熱媒体回路(40)として冷温水が循環する冷温水回路(40)を用いることにより、室内の潜熱負荷や顕熱負荷を処理することができる。また、吸着剤を再生するのに冷温水回路(40)以外の専用の加熱手段は不要であるため、装置構成が複雑になることも防止できる。
【００４６】
上記第１０の発明によれば、熱媒体回路(20,40) として冷媒回路(20)と冷温水回路(40)を用いることにより、室内の潜熱負荷や顕熱負荷を処理することができる。また、吸着剤を再生するのに冷媒回路(20)及び冷温水回路(40)以外の専用の加熱手段は不要であるため、装置構成が複雑になることも防止できる。
【００４７】
上記第１１の発明によれば、制御手段(15)により、吸湿動作と放湿動作が交互に行われる。そして、吸湿動作時に吸着剤に水分が吸着された空気を室内に供給することにより室内を除湿することができ、放湿動作時に吸着剤を再生した空気を室内に供給することにより室内を加湿することができる。
【００４８】
上記第１２の発明によれば、吸湿動作と放湿動作を切り換える時間間隔を潜熱負荷に応じて設定する切換間隔設定手段(16)を設けており、特に第１３の発明によれば潜熱負荷が大きくなるほど吸湿動作と放湿動作を切り換える時間間隔の設定値を小さくするようにしているので、室内の潜熱負荷が大きいときは切換頻度を多くすることで除湿量または加湿量を多くし、潜熱負荷が小さいときは切換頻度を少なくすることで除湿量または加湿量を少なくすることができ、室内の潜熱負荷に応じた快適な運転制御が可能となる。
【発明を実施するための最良の形態】
【００４９】
以下、本発明の実施形態を図面に基づいて詳細に説明する。
【００５０】
なお、以下の各実施形態のうち、実施形態１〜４は室内から室外に排出される空気の量が室内に供給される空気の量よりも多くなる排気扇タイプの空気調和装置(10)に本発明を適用した例であり、実施形態５〜９は室外に排出される空気の量と室内に供給される空気の量がバランスする換気扇タイプの空気調和装置(10)に本発明を適用した例である。
【００５１】
《発明の実施形態１》
実施形態１に係る空気調和装置(10)は、図１及び図２に示すように、冷媒が循環して蒸気圧縮式冷凍サイクルを行う冷媒回路(20)を備えている。この空気調和装置(10)は、冷媒と空気とが熱交換を行う複数の熱交換器(11,13,14)を有している。また、この冷媒回路(20)は、上記の複数の熱交換器(11,13,14)として、１つの空気熱交換器(11)と２つの吸着熱交換器(13,14) とを備えている。吸着熱交換器(13,14) は、表面に吸着剤を担持した熱交換器であり、吸着剤により水分を吸脱着することで空気の潜熱処理を行うことができる。
【００５２】
上記空気熱交換器(11)及び吸着熱交換器(13,14) は、図示していないが、それぞれクロスフィン式のフィン・アンド・チューブ型熱交換器により構成されており、長方形板状に形成された多数のフィンと、このフィンを貫通する伝熱管とを備えている。そして、上記吸着熱交換器(13)において、上記各フィン及び伝熱管の外表面には、吸着剤がディップ成形（浸漬成形）により担持されている。吸着剤としては、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料などが挙げられる。
【００５３】
なお、上記空気熱交換器(11)及び吸着熱交換器(13,14) は、クロスフィン式のフィン・アンド・チューブ型熱交換器に限らず、他の形式の熱交換器、例えば、コルゲートフィン式の熱交換器等であってもよい。また、吸着熱交換器(13,14) の各フィン及び伝熱管の外表面に吸着剤を担持する方法は、ディップ成形に限らず、吸着剤としての性能を損なわない限りはどのような方法を用いてもよい。
【００５４】
上記冷媒回路(20)は、圧縮機(21)と、室外熱交換器(22)と、膨張機構(23)と、室内熱交換器(24)とが接続された閉回路に構成されるとともに、冷媒の循環方向を反転させる切換機構(25,26) を備えている。そして、室外熱交換器(22)が空気熱交換器(11)により構成され、室内熱交換器(24)が第１吸着熱交換器(13)と第２吸着熱交換器(14)とから構成されている。また、膨張機構(23)は、冷媒を第１吸着熱交換器(13)と第２吸着熱交換器(14)との間で減圧可能な膨張弁により構成され、切換機構(25,26) は、冷媒回路(20)内での全体的な冷媒の循環方向を反転させる第１四路切換弁（第１切換機構）(25)と、第１吸着熱交換器(13)と第２吸着熱交換器(14)との間での冷媒の流れ方向を反転させる第２四路切換弁（第２切換機構）(26)とから構成されている。
【００５５】
上記冷媒回路(20)において、圧縮機(21)の吐出側は第１四路切換弁(25)の第１ポート(P1)に接続されている。第１四路切換弁(25)の第２ポート(P2)は空気熱交換器(11)に接続され、空気熱交換器(11)は第２四路切換弁(26)の第１ポート(P1)に接続されている。第２四路切換弁(26)の第２ポート(P2)は第１吸着熱交換器(13)に接続され、第１吸着熱交換器(13)は、膨張弁(23)と第２吸着熱交換器(14)とを介して第２四路切換弁(26)の第３ポート(P3)に接続されている。また、第２四路切換弁(26)の第４ポート(P4)は第１四路切換弁(25)の第３ポート(P3)に接続され、第１四路切換弁(25)の第４ポートは圧縮機(21)の吸入側に接続されている。
【００５６】
上記第１四路切換弁(25)は、第１ポート(P1)と第２ポート(P2)が連通し、第３ポート(P3)と第４ポート(P4)が連通する第１の状態（図１（Ａ），図１（Ｂ）の実線参照）と、第１ポート(P1)と第３ポート(P3)が連通し、第２ポート(P2)と第４ポート(P4)が連通する第２の状態（図２（Ａ），図２（Ｂ）の実線参照）とに切り換えることができる。また、上記第２四路切換弁(26)は、第１ポート(P1)と第２ポート(P2)が連通し、第３ポート(P3)と第４ポート(P4)が連通する第１の状態（図１（Ａ），図２（Ａ）の実線参照）と、第１ポート(P1)と第３ポート(P3)が連通し、第２ポート(P2)と第４ポート(P4)が連通する第２の状態（図１（Ｂ），図２（Ｂ）の実線参照）とに切り換えることができる。
【００５７】
この空気調和装置(10)では、装置構成の具体内容についての説明は省略するが、運転時に、吸着熱交換器(13,14) を通過する空気の流れを切り換えるための切換機構が設けられている。
【００５８】
また、この空気調和装置(10)は、第１吸着熱交換器(13)で吸着剤を冷却しながら該第１吸着熱交換器(13)を流れる空気の水分を吸着剤で吸着する吸湿動作を行うと同時に、第２吸着熱交換器(14)で吸着剤を加熱しながら該第２吸着熱交換器(14)を流れる空気に水分を放出して吸着剤を再生する放湿動作を行う運転（図１（Ｂ）及び図２（Ａ）参照）と、第２吸着熱交換器(14)で吸着剤を冷却しながら該第２吸着熱交換器(14)を流れる空気の水分を吸着剤で吸着する吸湿動作を行うと同時に、第１吸着熱交換器(13)で吸着剤を加熱しながら該第１吸着熱交換器(13)を流れる空気に水分を放出して吸着剤を再生する放湿動作を行う運転（図１（Ａ）及び図２（Ｂ）参照）とが可能に構成されている。以下の説明では、これらの２つの運転のうち、一方を第１運転、他方を第２運転という。
【００５９】
第１運転と第２運転を切り換えるため、上記空気調和装置(10)には、上記四路切換弁(25,26) と上記切換機構（図示せず）とを操作することにより、吸湿動作時と放湿動作時とで冷媒回路(20)における冷媒の流れと空気の流通とを切り換えるコントローラ（制御手段）(15)が設けられている。このコントローラ(15)は、吸湿動作と放湿動作を切り換える時間間隔を室内の潜熱負荷に応じて設定する切換タイマ（切換間隔設定手段）(16)を含んでいる。この切換タイマ(16)は、潜熱負荷が大きくなるほど吸湿動作と放湿動作を切り換える時間間隔の設定値を小さくするように構成されている。
【００６０】
さらに、この空気調和装置(10)は、後述する吸着用空気と再生用空気とを潜熱処理する潜熱処理素子(50)を備えている。この潜熱処理素子(50)は、吸着用空気の流通通路と再生用空気の流通通路とに跨って配置されるとともに回転可能な回転式の吸着素子（吸着ロータ）により構成されている。この吸着ロータ(50)は、吸着用空気の流通通路においては吸着熱交換器(13,14) の上流側に位置し、再生用空気の流通通路においては吸着熱交換器(13,14) の下流側に位置している。
【００６１】
上記吸着ロータ(50)は、ハニカム構造などの通気性のある円板状基材と、この基材に担持された吸着剤とから構成され、吸着剤により水分を吸脱着することで空気の潜熱処理を行うことができる。この吸着ロータ(50)に用いる吸着剤としては、吸着熱交換器(13,14) の吸着剤と同様に、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料などを用いることができる。
【００６２】
本実施形態において、冷房運転時、吸着ロータ(50)を通過する吸着用空気は吸着熱交換器(13,14) の一方を通過する前の室内空気(RA)であり、吸着ロータ(50)を通過する再生用空気は吸着熱交換器(13,14) の他方を通過した後の室内空気(RA)である。また、暖房運転時、吸着ロータ(50)を通過する吸着用空気は吸着熱交換器(13,14) の一方を通過する前の室内空気(RA)であり、該吸着ロータ(50)を通過する再生用空気は吸着熱交換器(13,14) の他方を通過した後の室内空気である。冷房運転時と暖房運転時のいずれも、吸着ロータ(50)において吸着用空気と再生用空気とを比べると、吸着用空気が低温であって相対湿度が高く、再生用空気が高温であって相対湿度が低いため、吸着用空気が減湿されて再生用空気が加湿される。
【００６３】
−運転動作−
（冷房除湿運転）
冷房除湿運転時、第１四路切換弁(25)は第１の状態に切り換わり、図１（Ａ）の第１運転と図１（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、膨張弁(23)は所定開度に絞られる。
【００６４】
この状態において、第１運転時、圧縮機(21)から吐出された冷媒は、空気熱交換器(11)と第１吸着熱交換器(13)で凝縮した後、膨張弁(23)で膨張し、第２吸着熱交換器(14)で蒸発して圧縮機(21)に吸入される。
【００６５】
その際、冷媒回路(20)では、第２吸着熱交換器(14)において室内の潜熱処理と顕熱処理が行われる。つまり、第２吸着熱交換器(14)を通過する室内空気(RA)（吸着用空気）は、水分が吸着剤に吸着されることで減湿（潜熱処理）されてから徐々に冷却（顕熱処理）され、供給空気(SA)として室内に戻る。
【００６６】
第１吸着熱交換器(13)では、室内空気(RA)（再生用空気）が通過することで吸着剤が再生され、該再生用空気は高温になる。また、室外空気(OA)は、空気熱交換器(11)を通過する際に冷媒と熱交換し、排出空気(EA)として室外に排出される。
【００６７】
一方、上記吸着ロータ(50)では、低温であって相対湿度の高い吸着用空気が減湿され、高温であって相対湿度の低い再生用空気が加湿される。このため、吸着用空気は吸着ロータ(50)と第２吸着熱交換器(14)とで２段階に減湿されてから室内に供給される。また、再生用空気は第１吸着熱交換器(13)と吸着ロータ(50)で吸着剤を２度再生してから室外に排出される。
【００６８】
また、第２運転時、圧縮機(21)から吐出された冷媒は、空気熱交換器(11)と第２吸着熱交換器(14)で凝縮した後、膨張弁(23)で膨張し、第１吸着熱交換器(13)で蒸発して圧縮機(21)に吸入される。
【００６９】
その際、冷媒回路(20)では、第１吸着熱交換器(13)において室内の潜熱処理と顕熱処理が行われる。つまり、第１吸着熱交換器(13)を通過する室内空気(RA)（吸着用空気）は、水分が吸着剤に吸着されることで減湿（潜熱処理）されてから徐々に冷却（顕熱処理）され、供給空気(SA)として室内に戻る。
【００７０】
第２吸着熱交換器(14)では、室内空気(RA)（再生用空気）が通過することで吸着剤が再生され、該再生用空気は高温になる。また、室外空気(OA)は、空気熱交換器(11)を通過する際に冷媒と熱交換し、排出空気(EA)として室外に排出される。
【００７１】
一方、上記吸着ロータ(50)では、低温であって相対湿度の高い吸着用空気が減湿され、高温であって相対湿度の低い再生用空気が加湿される。このため、吸着用空気は吸着ロータ(50)と第１吸着熱交換器(13)とで２段階に減湿されてから室内に供給される。また、再生用空気は第２吸着熱交換器(14)と吸着ロータ(50)で吸着剤を２度再生してから室外に排出される。
【００７２】
以上のようにして第１運転と第２運転とを交互に繰り返すことにより、室内の顕熱負荷を連続的に処理しながら、室内の潜熱負荷も連続的に処理できる。その際、第１運転と第２運転は、上記コントローラ(15)により、室内の潜熱負荷が大きくなるほど短い時間間隔で切り換えられる。これにより、室内の潜熱負荷が大きいときは切換頻度を多くすることで除湿量を多くして、室内の快適性を高めることができる。また、逆に室内の潜熱負荷が小さいときは、切換頻度を少なくすることで除湿量を少なくして、省エネ性を高められる。
【００７３】
（暖房加湿運転）
暖房加湿運転時、第１四路切換弁(25)は第２の状態に切り換わり、図２（Ａ）の第１運転と図２（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、膨張弁(23)は所定開度に絞られる。
【００７４】
この状態において、第１運転時、圧縮機(21)から吐出された冷媒は、第２吸着熱交換器(14)で凝縮した後、膨張弁(23)で膨張し、第１吸着熱交換器(13)と空気熱交換器(11)で蒸発して圧縮機(21)に吸入される。
【００７５】
その際、冷媒回路(20)では、第２吸着熱交換器(14)において室内の潜熱処理と顕熱処理が行われる。つまり、第２吸着熱交換器(14)を通過する室内空気(RA)（再生用空気）は、該第２吸着熱交換器(14)を再生することで加湿（潜熱処理）されてから徐々に加熱（顕熱処理）され、供給空気(SA)として室内に戻る。
【００７６】
第１吸着熱交換器(13)では、室内空気(RA)（吸着用空気）が通過することで吸着剤に水分が与えられる。また、室外空気(OA)は、空気熱交換器(11)を通過する際に冷媒と熱交換し、排出空気(EA)として室外に排出される。
【００７７】
一方、上記吸着ロータ(50)では、低温であって相対湿度の高い吸着用空気が減湿され、高温であって相対湿度の低い再生用空気が加湿される。このため、再生用空気は第２吸着熱交換器(14)と吸着ロータ(50)とで２段階に加湿されてから室内に供給される。また、吸着用空気は吸着ロータ(50)と第１吸着熱交換器(13)で２度水分が奪われてから室外に排出される。
【００７８】
また、第２運転時、圧縮機(21)から吐出された冷媒は、第１吸着熱交換器(13)で凝縮した後、膨張弁(23)で膨張し、第２吸着熱交換器(14)と空気熱交換器(11)で蒸発して圧縮機(21)に吸入される。
【００７９】
その際、冷媒回路(20)では、第１吸着熱交換器(13)において室内の潜熱処理と顕熱処理が行われる。つまり、第１吸着熱交換器(13)を通過する室内空気(RA)（再生用空気）は、該第１吸着熱交換器(13)を再生することで加湿（潜熱処理）されてから徐々に加熱（顕熱処理）され、供給空気(SA)として室内に戻る。
【００８０】
第２吸着熱交換器(14)では、室内空気(RA)（吸着用空気）が通過することで吸着剤に水分が与えられる。また、室外空気(OA)は、空気熱交換器(11)を通過する際に冷媒と熱交換し、排出空気(EA)として室外に排出される。
【００８１】
一方、上記吸着ロータ(50)では、低温であって相対湿度の高い吸着用空気が減湿され、高温であって相対湿度の低い再生用空気が加熱される。このため、再生用空気は（第１吸着熱交換器(139と吸着ロータ(50)とで２段階に加湿されてから室内に供給される。また、吸着用空気は吸着ロータ(50)と第２吸着熱交換器(14)で２度水分が奪われてから室外に排出される。
【００８２】
以上のようにして第１運転と第２運転を交互に繰り返すことにより、室内の顕熱負荷を連続的に処理しながら、室内の潜熱負荷も連続的に処理される。このときも、第１運転と第２運転は、室内の潜熱負荷に応じた時間間隔で切り換えることができる。
【００８３】
−実施形態１の効果−
この実施形態１によれば、冷房除湿運転時には、吸着用空気（室内空気(RA)）を吸着ロータ(50)と吸着熱交換器(13,14)で２段階に減湿しているので、装置の除湿能力を高められる。また、暖房加湿運転時には、再生用空気（室内空気(RA)）を吸着熱交換器(13,14)と吸着ロータ(50)で２段階に加湿しているので、装置の加湿能力を高められる。
【００８４】
また、この実施形態１では、室内の潜熱負荷が大きいときは第１運転と第２運転の切換頻度を多くし、逆に潜熱負荷が小さいときは第１運転と第２運転の切換頻度を少なくしている。このことにより、室内の快適性と省エネ性のバランスに優れた運転を行うことが可能となる。
【００８５】
《発明の実施形態２》
実施形態２に係る空気調和装置(10)は、潜熱処理素子(50)として、実施形態１の吸着ロータの代わりに、２つの吸着素子（第１吸着素子(51)及び第２吸着素子(52)）を用いた例である。
【００８６】
第１吸着素子(51)及び第２吸着素子(52)は、それぞれ、水分の吸着と脱離とを行うように構成されている。そして、第１吸着素子(51)で吸着用空気の水分を吸着すると同時に第２吸着素子(52)を再生用空気で再生する動作と、第１吸着素子(51)を再生用空気で再生すると同時に第２吸着素子(52)で吸着用空気の水分を吸着する動作とを交互に行うように、空気の流通路と、冷媒回路における冷媒の流れ方向とが切り換えられる。
【００８７】
上記吸着素子(51,52) を除いて、実施形態２の構成は実施形態１と同じである。このため、吸着素子(51,52) 以外の構成に関する具体的な説明は、ここでは省略する。
【００８８】
−運転動作−
（冷房除湿運転）
冷房除湿運転時、第１四路切換弁(25)は第１の状態に切り換わり、図３（Ａ）の第１運転と図３（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、膨張弁(23)は所定開度に絞られる。
【００８９】
この状態において、第１運転時、圧縮機(21)から吐出された冷媒は、空気熱交換器(11)と第１吸着熱交換器(13)で凝縮した後、膨張弁(23)で膨張し、第２吸着熱交換器(14)で蒸発して圧縮機(21)に吸入される。
【００９０】
その際、冷媒回路(20)では、第２吸着熱交換器(14)において室内の潜熱処理と顕熱処理が行われる。つまり、第２吸着熱交換器(14)を通過する室内空気(RA)（吸着用空気）は、水分が吸着剤に吸着されることで減湿（潜熱処理）されてから徐々に冷却（顕熱処理）され、供給空気(SA)として室内に戻る。
【００９１】
第１吸着熱交換器(13)では、室内空気(RA)（再生用空気）が通過することで吸着剤が再生され、該再生用空気は高温になる。また、室外空気(OA)は、空気熱交換器(11)を通過する際に冷媒と熱交換し、排出空気(EA)として室外に排出される。
【００９２】
一方、上記第１吸着素子(51)では、低温であって相対湿度の高い吸着用空気が減湿され、第２吸着素子(52)では、高温であって相対湿度の低い再生用空気が加湿される。このため、吸着用空気は第１吸着素子(51)と第２吸着熱交換器(14)とで２段階に減湿されてから室内に供給される。また、再生用空気は第１吸着熱交換器(13)と第２吸着素子(52)で吸着剤を２度再生してから室外に排出される。
【００９３】
また、第２運転時、圧縮機(21)から吐出された冷媒は、空気熱交換器(11)と第２吸着熱交換器(14)で凝縮した後、膨張弁(23)で膨張し、第１吸着熱交換器(13)で蒸発して圧縮機(21)に吸入される。
【００９４】
その際、冷媒回路(20)では、第１吸着熱交換器(13)において室内の潜熱処理と顕熱処理が行われる。つまり、第１吸着熱交換器(13)を通過する室内空気(RA)（吸着用空気）は、水分が吸着剤に吸着されることで減湿（潜熱処理）されてから徐々に冷却（顕熱処理）され、供給空気(SA)として室内に戻る。
【００９５】
第２吸着熱交換器(14)では、室内空気(RA)（再生用空気）が通過することで吸着剤が再生され、該再生用空気は高温になる。また、室外空気(OA)は、空気熱交換器(11)を通過する際に冷媒と熱交換し、排出空気(EA)として室外に排出される。
【００９６】
一方、上記第２吸着素子(52)では、低温であって相対湿度の高い吸着用空気が減湿され、第１吸着素子(51)では、高温であって相対湿度の低い再生用空気が加湿される。このため、吸着用空気は第２吸着素子(52)と第１吸着熱交換器(13)とで２段階に減湿されてから室内に供給される。また、再生用空気は第２吸着熱交換器(14)と第１吸着素子(51)で吸着剤を２度再生してから室外に排出される。
【００９７】
以上のようにして第１運転と第２運転とを交互に繰り返すことにより、室内の顕熱負荷を連続的に処理しながら、室内の潜熱負荷も連続的に処理できる。その際、第１運転と第２運転は、上記コントローラ(15)により、室内の潜熱負荷が大きくなるほど短い時間間隔で切り換えられる。これにより、室内の潜熱負荷が大きいときは切換頻度を多くすることで除湿量を多くして、室内の快適性を高めることができる。また、逆に室内の潜熱負荷が小さいときは、切換頻度を少なくすることで除湿量を少なくして、省エネ性を高められる。
【００９８】
（暖房加湿運転）
暖房加湿運転時、第１四路切換弁(25)は第２の状態に切り換わり、図４（Ａ）の第１運転と図４（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、膨張弁(23)は所定開度に絞られる。
【００９９】
この状態において、第１運転時、圧縮機(21)から吐出された冷媒は、第２吸着熱交換器(14)で凝縮した後、膨張弁(23)で膨張し、第１吸着熱交換器(13)と空気熱交換器(11)で蒸発して圧縮機(21)に吸入される。
【０１００】
その際、冷媒回路(20)では、第２吸着熱交換器(14)において室内の潜熱処理と顕熱処理が行われる。つまり、第２吸着熱交換器(14)を通過する室内空気(RA)（再生用空気）は、該第２吸着熱交換器(14)を再生することで加湿（潜熱処理）されてから徐々に加熱（顕熱処理）され、供給空気(SA)として室内に戻る。
【０１０１】
第１吸着熱交換器(13)では、室内空気(RA)（吸着用空気）が通過することで吸着剤に水分が与えられる。また、室外空気(OA)は、空気熱交換器(11)を通過する際に冷媒と熱交換し、排出空気(EA)として室外に排出される。
【０１０２】
一方、上記第２吸着素子(52)では、低温であって相対湿度の高い吸着用空気が減湿され、第１吸着素子(51)では、高温であって相対湿度の低い再生用空気が加湿される。このため、再生用空気は第２吸着熱交換器(14)と第１吸着素子(51)とで２段階に加湿されてから室内に供給される。また、吸着用空気は第２吸着素子(52)と第１吸着熱交換器(13)で吸着剤に２度水分が奪われてから室外に排出される。
【０１０３】
また、第２運転時、圧縮機(21)から吐出された冷媒は、第１吸着熱交換器(13)で凝縮した後、膨張弁(23)で膨張し、第２吸着熱交換器(14)と空気熱交換器(11)で蒸発して圧縮機(21)に吸入される。
【０１０４】
その際、冷媒回路(20)では、第１吸着熱交換器(13)において室内の潜熱処理と顕熱処理が行われる。つまり、第１吸着熱交換器(13)を通過する室内空気(RA)（再生用空気）は、該第１吸着熱交換器(13)を再生することで加湿（潜熱処理）されてから徐々に加熱（顕熱処理）され、供給空気(SA)として室内に戻る。
【０１０５】
第２吸着熱交換器(14)では、室内空気(RA)（吸着用空気）が通過することで吸着剤に水分が与えられる。また、室外空気(OA)は、空気熱交換器(11)を通過する際に冷媒と熱交換し、排出空気(EA)として室外に排出される。
【０１０６】
一方、上記第１吸着素子(51)では、低温であって相対湿度の高い吸着用空気が減湿され、第２吸着素子(52)では、高温であって相対湿度の低い再生用空気が加熱される。このため、再生用空気は第１吸着熱交換器(13)と第２吸着素子(52)とで２段階に加湿されてから室内に供給される。また、吸着用空気は第１吸着素子(51)と第２吸着熱交換器(14)で吸着剤に２度水分が奪われてから室外に排出される。
【０１０７】
以上のようにして第１運転と第２運転を交互に繰り返すことにより、室内の顕熱負荷を連続的に処理しながら、室内の潜熱負荷も連続的に処理される。このときも、第１運転と第２運転は、室内の潜熱負荷に応じた時間間隔で切り換えることができる。
【０１０８】
−実施形態２の効果−
この実施形態２によれば、冷房除湿運転時には、吸着用空気（室内空気(RA)）を吸着素子(51,52) と吸着熱交換器(13,14)で２段階に減湿しているので、装置の除湿能力を高められる。また、暖房加湿運転時には、再生用空気（室内空気(RA)）を吸着熱交換器(13,14)と吸着素子(51,52) で２段階に加湿しているので、装置の加湿能力を高められる。
【０１０９】
また、実施形態１と同様に、室内の潜熱負荷が大きいときは第１運転と第２運転の切換頻度を多くし、逆に潜熱負荷が小さいときは第１運転と第２運転の切換頻度を少なくすることにより、室内の快適性と省エネ性のバランスに優れた運転を行うことが可能となる。
【０１１０】
《発明の実施形態３》
実施形態３に係る空気調和装置(10)は、図５及び図６に示すように、実施形態１，２とは冷媒回路(20)の構成を変更した例である。この冷媒回路(20)は、冷媒と空気とが熱交換を行う複数の熱交換器(11,12,13,14) として、２つの空気熱交換器(11,12) と２つの吸着熱交換器(13,14) とを備えている。
【０１１１】
この冷媒回路(20)は、上記実施形態１，２と同様に、圧縮機(21)と、室外熱交換器(22)と、膨張機構(23)と、室内熱交換器(24)とが接続された閉回路に構成されるとともに、冷媒の循環方向を反転させる切換機構として四路切換弁(25,26) を備えている。そして、室外熱交換器(22)が第１空気熱交換器(11)により構成され、室内熱交換器(24)が、膨張機構(23)を介して互いに直列に接続された第１吸着熱交換器(13)及び第２吸着熱交換器(14)と、第２空気熱交換器(12)とから構成されている。
【０１１２】
上記切換機構(25,26) は、冷媒回路(20)内での全体的な冷媒の循環方向を反転させる第１四路切換弁（第１切換機構）(25)と、第１吸着熱交換器(13)と第２吸着熱交換器(14)との間での冷媒の流れ方向を反転させる第２四路切換弁（第２切換機構）(26)とから構成されている。
【０１１３】
上記冷媒回路(20)において、圧縮機(21)の吐出側は第１四路切換弁(25)の第１ポート(P1)に接続されている。第１四路切換弁(25)の第２ポート(P2)は第１空気熱交換器(11)に接続され、この第１空気熱交換器(11)は第２四路切換弁(26)の第１ポート(P1)に接続されている。第２四路切換弁(26)の第２ポート(P2)は第１吸着熱交換器(13)に接続され、第１吸着熱交換器(13)には膨張弁(23)と第２吸着熱交換器(14)が順に直列に接続されている。第２吸着熱交換器(14)は第２四路切換弁(26)の第３ポート(P3)に接続され、第２四路切換弁(26)の第４ポート(P4)は第２空気熱交換器(12)を介して第１四路切換弁(25)の第３ポート(P3)に接続されている。また、第１四路切換弁(25)の第４ポート(P4)は圧縮機(21)の吸入側に接続されている。
【０１１４】
上記第１四路切換弁(25)は、第１ポート(P1)と第２ポート(P2)が連通し、第３ポート(P3)と第４ポート(P4)が連通する第１の状態（図５（Ａ），図５（Ｂ）の実線参照）と、第１ポート(P1)と第３ポート(P3)が連通し、第２ポート(P2)と第４ポート(P4)が連通する第２の状態（図６（Ａ），図６（Ｂ）の実線参照）とに切り換えることができる。
【０１１５】
また、上記第２四路切換弁(26)は、第１ポート(P1)と第２ポート(P2)が連通し、第３ポート(P3)と第４ポート(P4)が連通する第１の状態（図５（Ａ），図６（Ａ）の実線参照）と、第１ポート(P1)と第３ポート(P3)が連通し、第２ポート(P2)と第４ポート(P4)が連通する第２の状態（図５（Ｂ），図６（Ｂ）の実線参照）とに切り換えることができる。
【０１１６】
さらに、この空気調和装置(10)は、第１空気と第２空気とが熱交換を行う潜熱処理素子(50)を備えている。この潜熱処理素子(50)は、第１空気の流通通路と第２空気の流通通路とに跨って配置されるとともに回転可能な吸着ロータ(50)により構成されている。
【０１１７】
本実施形態において、冷房運転時、吸着ロータ(50)を通過する吸着用空気は吸着熱交換器(13,14) の一方を通過する前の室内空気(RA)であり、吸着ロータ(50)を通過する再生用空気は吸着熱交換器(13,14) の他方を通過した後の室内空気(RA)である。また、暖房運転時、吸着ロータ(50)を通過する吸着用空気は吸着熱交換器(13,14) の一方を通過する前の室内空気(RA)であり、該吸着ロータ(50)を通過する再生用空気は吸着熱交換器(13,14) の他方を通過した後の室内空気(RA)である。冷房運転時と暖房運転時のいずれも、吸着ロータ(50)において吸着用空気と再生用空気とを比べると、吸着用空気が低温であって相対湿度が高く、再生用空気が高温であって相対湿度が低いため、吸着用空気が減湿されて再生用空気が加湿される。
【０１１８】
−運転動作−
次に、この空気調和装置(10)の運転動作について説明する。
【０１１９】
（冷房除湿運転）
冷房除湿運転時、第１四路切換弁(25)は第１の状態に切り換わり、図５（Ａ）の第１運転と図５（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、膨張弁(23)は所定開度に絞られる。
【０１２０】
この状態において、第１運転時、圧縮機(21)から吐出された冷媒は、第１空気熱交換器(11)と第１吸着熱交換器(13)とで凝縮した後、膨張弁(23)で膨張し、第２吸着熱交換器(14)と第２空気熱交換器(12)とで蒸発して圧縮機(21)に吸入される。
【０１２１】
その際、冷媒回路(20)では、第２吸着熱交換器(14)において室内の潜熱処理が行われ、第２空気熱交換器(12)において室内の顕熱処理が行われる。つまり、室内空気(RA)は、一部（吸着用空気）が第２吸着熱交換器(14)を通過する際に水分が吸着剤に吸着されることで減湿（潜熱処理）されて室内に戻り、他の一部が第２空気熱交換器(12)を通過する際に冷却（顕熱処理）されて室内に戻る。こうすることにより、室内の冷房と除湿を効率よく行うことができる。
【０１２２】
第１吸着熱交換器(13)では、室内空気(RA)の他の一部（再生用空気）が通過することで吸着剤が再生される。また、室外空気(OA)は、空気熱交換器(11)を通過する際に冷媒と熱交換し、排出空気(EA)として室外に排出される。
【０１２３】
一方、上記吸着ロータ(50)では、低温であって相対湿度の高い吸着用空気が減湿され、高温であって相対湿度の低い再生用空気が加湿される。このため、吸着用空気は吸着ロータ(50)と第２吸着熱交換器(14)とで２段階に減湿されてから室内に供給される。また、再生用空気は第１吸着熱交換器(13)と吸着ロータ(50)で吸着剤を２度再生してから室外に排出される。
【０１２４】
また、第２運転時、圧縮機(21)から吐出された冷媒は、第１空気熱交換器(11)と第２吸着熱交換器(14)とで凝縮した後、膨張弁(23)で膨張し、第１吸着熱交換器(13)と第２空気熱交換器(12)とで蒸発して圧縮機(21)に吸入される。
【０１２５】
その際、冷媒回路(20)では、第１吸着熱交換器(13)において室内の潜熱処理が行われ、第２空気熱交換器(12)において室内の顕熱処理が行われる。つまり、室内空気(RA)は、一部（吸着用空気）が第１吸着熱交換器(13)を通過する際に水分が吸着剤に吸着されることで減湿（潜熱処理）されて室内に戻り、他の一部が第２空気熱交換器(12)を通過する際に冷却（顕熱処理）されて室内に戻る。こうすることにより、室内の冷房と除湿を効率よく行うことができる。
【０１２６】
第２吸着熱交換器(14)では、室内空気(RA)の他の一部（再生用空気）が通過することで吸着剤が再生される。また、室外空気(OA)は、空気熱交換器(11)を通過する際に冷媒と熱交換し、排出空気(EA)として室外に排出される。
【０１２７】
一方、上記吸着ロータ(50)では、低温であって相対湿度の高い吸着用空気が減湿され、高温であって相対湿度の低い再生用空気(RA)が加湿される。このため、吸着用空気は吸着ロータ(50)と第１吸着熱交換器(13)とで２段階に減湿されてから室内に供給される。また、再生用空気は第２吸着熱交換器(14)と吸着ロータ(50)で吸着剤を２度再生してから室外に排出される。
【０１２８】
以上のようにして第１運転と第２運転とを交互に繰り返すことにより、室内の顕熱負荷を連続的に処理しながら、室内の潜熱負荷も連続的に処理することができる。このときも、第１運転と第２運転は、室内の潜熱負荷が大きくなるほど短い時間間隔で切り換えられる。これにより、室内の潜熱負荷が大きいときは切換頻度を多くすることで除湿量を多くして室内の快適性を高め、逆に室内の潜熱負荷が小さいときは切換頻度を少なくすることで除湿量を少なくして省エネ性を高められる。
【０１２９】
（暖房加湿運転）
暖房加湿運転時、第１四路切換弁(25)は第２の状態に切り換わり、図６（Ａ）の第１運転と図６（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、膨張弁(23)は所定開度に絞られる。
【０１３０】
この状態において、第１運転時、圧縮機(21)から吐出された冷媒は、第２空気熱交換器(12)と第２吸着熱交換器(14)とで凝縮した後、膨張弁(23)で膨張し、第１吸着熱交換器(13)と第１空気熱交換器(11)とで蒸発して圧縮機(21)に吸入される。
【０１３１】
その際、冷媒回路(20)では、第２吸着熱交換器(14)において室内の潜熱処理が行われ、第２空気熱交換器(12)において室内の顕熱処理が行われる。つまり、室内空気(RA)は、一部（再生用空気）が第２吸着熱交換器(14)を通過する際に吸着剤を再生することで加湿（潜熱処理）されて室内に戻り、他の一部が第２空気熱交換器(12)を通過する際に加熱（顕熱処理）されて室内に戻る。こうすることにより、室内の暖房と加湿を効率よく行うことができる。
【０１３２】
第１吸着熱交換器(13)では、室内空気(RA)の他の一部（吸着用空気）が通過することで吸着剤に水分が与えられる。また、室外空気(OA)は、空気熱交換器(11)を通過する際に冷媒と熱交換し、排出空気(EA)として室外に排出される。
【０１３３】
一方、上記吸着ロータ(50)では、高温であって相対湿度の低い再生用空気が加湿され、低温であって相対湿度の高い吸着用空気が減湿される。このため、再生用空気は第２吸着熱交換器(14)と吸着ロータ(50)とで２段階に加湿されてから室内に供給される。また、吸着用空気は吸着ロータ(50)と第１吸着熱交換器(13)で吸着剤に２度水分を奪われてから室外に排出される。
【０１３４】
また、第２運転時、圧縮機(21)から吐出された冷媒は、第２空気熱交換器(12)と第１吸着熱交換器(13)とで凝縮した後、膨張弁(23)で膨張し、第２吸着熱交換器(14)と第１空気熱交換器(11)とで蒸発して圧縮機(21)に吸入される。
【０１３５】
その際、冷媒回路(20)では、第１吸着熱交換器(13)において室内の潜熱処理が行われ、第２空気熱交換器(12)において室内の顕熱処理が行われる。つまり、室内空気(RA)は、一部（再生用空気）が第１吸着熱交換器(13)を通過する際に吸着剤を再生することで加湿（潜熱処理）されて室内に戻り、他の一部が第２空気熱交換器(12)を通過する際に加熱（顕熱処理）されて室内に戻る。こうすることにより、室内の暖房と加湿を効率よく行うことができる。
【０１３６】
第２吸着熱交換器(13)では、室内空気(RA)の他の一部（吸着用空気）が通過することで吸着剤に水分が与えられる。また、室外空気(OA)は、空気熱交換器(11)を通過する際に冷媒と熱交換し、排出空気(EA)として室外に排出される。
【０１３７】
一方、上記吸着ロータ(50)では、高温であって相対湿度の低い再生用空気が加湿され、低温であって相対湿度の高い吸着用空気が減湿される。このため、再生用空気は第１吸着熱交換器(13)と吸着ロータ(50)とで２段階に加湿されてから室内に供給される。また、吸着用空気は吸着ロータ(50)と第２吸着熱交換器(14)で吸着剤に２度水分を奪われてから室外に排出される。
【０１３８】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷に応じた時間間隔で切り換えられる。
【０１３９】
−実施形態３の効果−
この実施形態３によれば、冷房除湿運転時には、吸着用空気（室内空気(RA)）を吸着ロータ(50)と吸着熱交換器(13,14)で２段階に減湿しているので、装置の除湿能力を高められる。また、暖房加湿運転時には、再生用空気（室内空気(RA)）を吸着熱交換器(13,14)と吸着ロータ(50)で２段階に加湿しているので、装置の加湿能力を高められる。
【０１４０】
また、実施形態１，２と同様に、室内の潜熱負荷が大きいときは第１運転と第２運転の切換頻度を多くし、逆に潜熱負荷が小さいときは第１運転と第２運転の切換頻度を少なくすることにより、室内の快適性と省エネ性のバランスに優れた運転を行うことが可能となる。
【０１４１】
《発明の実施形態４》
実施形態４に係る空気調和装置(10)は、図７及び図８に示すように、実施形態１〜３とは冷媒回路(20)の構成を変更した例である。この冷媒回路(20)は、冷媒と空気とが熱交換を行う複数の熱交換器(11,12,13,14) として、実施形態３と同様に、２つの空気熱交換器(11,12) と２つの吸着熱交換器(13,14) とを備えている。
【０１４２】
この冷媒回路(20)は、上記各実施形態と同様に、圧縮機(21)と、室外熱交換器(22)と、膨張機構(23)と、室内熱交換器(24)とが接続された閉回路に構成されるとともに、冷媒の循環方向を反転させる切換機構として四路切換弁(25,26) を備えている。膨張機構は第１膨張弁（第１膨張機構）(31)と第２膨張弁（第２膨張機構）(32)とから構成されている。また、室外熱交換器(22)は第１空気熱交換器(11)により構成され、室内熱交換器(24)は、第２膨張弁(32)を介して互いに直列に接続された第１吸着熱交換器(13)及び第２吸着熱交換器(14)と、第２空気熱交換器(12)とから構成されている。
【０１４３】
上記切換機構(25,26) は、冷媒回路(20)内での全体的な冷媒の循環方向を反転させる第１四路切換弁（第１切換機構）(25)と、第１吸着熱交換器(13)と第２吸着熱交換器(14)との間での冷媒の流れ方向を反転させる第２四路切換弁（第２切換機構）(26)とから構成されている。
【０１４４】
上記冷媒回路(20)において、圧縮機(21)の吐出側は第１四路切換弁(25)の第１ポート(P1)に接続されている。第１四路切換弁(25)の第２ポート(P2)は第１空気熱交換器(11)に接続され、この第１空気熱交換器(11)には第１膨張弁(31)と第２空気熱交換器(12)が順に直列に接続されている。第２空気熱交換器(12)は第１四路切換弁(25)の第３ポート(P3)に接続され、第１四路切換弁(25)の第４ポート(P4)は圧縮機(21)の吸入側に接続されている。
【０１４５】
上記第１四路切換弁(25)の第２ポート(P2)には、上記第１空気熱交換器(11)と並列に第２四路切換弁(26)の第１ポート(P1)が接続され、第２四路切換弁(26)の第２ポート(P2)には、第１吸着熱交換器(13)、第２膨張弁(32)、及び第２吸着熱交換器(14)が順に直列に接続されている。第２吸着熱交換器(14)は第２四路切換弁(26)の第３ポート(P3)に接続され、第２四路切換弁(26)の第４ポート(P4)は第１四路切換弁(25)の第３ポート(P3)に対して第２空気熱交換器(12)と並列に接続されている。
【０１４６】
以上により、上記冷媒回路(20)では、圧縮機(21)と、第１空気熱交換器(11)と、第１膨張機構(31)と、第２空気熱交換器(12)とが順に接続されるとともに、第１空気熱交換器(11)、第１膨張機構(31)及び第２空気熱交換器(12)と並列に、第１吸着熱交換器(13)、第２膨張機構(32)及び第２吸着熱交換器(14)が接続されている。
【０１４７】
上記第１四路切換弁(25)は、第１ポート(P1)と第２ポート(P2)が連通し、第３ポート(P3)と第４ポート(P4)が連通する第１の状態（図７（Ａ），図７（Ｂ）の実線参照）と、第１ポート(P1)と第３ポート(P3)が連通し、第２ポート(P2)と第４ポート(P4)が連通する第２の状態（図８（Ａ），図８（Ｂ）の実線参照）とに切り換えることができる。
【０１４８】
また、上記第２四路切換弁(26)は、第１ポート(P1)と第２ポート(P2)が連通し、第３ポート(P3)と第４ポート(P4)が連通する第１の状態（図７（Ａ），図８（Ａ）の実線参照）と、第１ポート(P1)と第３ポート(P3)が連通し、第２ポート(P2)と第４ポート(P4)が連通する第２の状態（図７（Ｂ），図８（Ｂ）の実線参照）とに切り換えることができる。
【０１４９】
さらに、この空気調和装置(10)は、吸着用空気と再生用空気の潜熱処理を行う潜熱処理素子(50)を備えている。この潜熱処理素子(50)は、第１空気の流通通路と第２空気の流通通路とに跨って配置されるとともに回転可能な吸着ロータ(50)により構成されている。
【０１５０】
本実施形態において、冷房運転時、吸着ロータ(50)を通過する吸着用空気は吸着熱交換器(13,14) の一方を通過する前の室内空気(RA)であり、吸着ロータ(50)を通過する再生用空気は吸着熱交換器(13,14) の他方を通過した後の室内空気(RA)である。また、暖房運転時、吸着ロータ(50)を通過する吸着用空気は吸着熱交換器(13,14) の一方を通過する前の室内空気(RA)であり、該吸着ロータ(50)を通過する再生用空気は吸着熱交換器(13,14) の他方を通過した後の室内空気(RA)である。冷房運転時と暖房運転時のいずれも、吸着ロータ(50)において吸着用空気と再生用空気とを比べると、吸着用空気が低温であって相対湿度が高く、再生用空気が高温であって相対湿度が低いため、吸着用空気が減湿されて再生用空気が加湿される。
【０１５１】
−運転動作−
次に、この空気調和装置(10)の運転動作について説明する。
【０１５２】
（冷房除湿運転）
冷房除湿運転時、第１四路切換弁(25)は第１の状態に切り換わり、図７（Ａ）の第１運転と図７（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、第１膨張弁(31)及び第２膨張弁(32)は所定開度に絞られる。
【０１５３】
この状態において、第１運転時、圧縮機(21)から吐出された冷媒の一部は、第１空気熱交換器(11)で凝縮した後、第１膨張弁(31)で膨張し、第２空気熱交換器(12)で蒸発して圧縮機(21)に吸入される。また、圧縮機(21)から吐出された冷媒の残りは、第１吸着熱交換器(13)で凝縮した後、第２膨張弁(32)で膨張し、第２吸着熱交換器(14)で蒸発して圧縮機(21)に吸入される。
【０１５４】
その際、冷媒回路(20)では、第２吸着熱交換器(14)において室内の潜熱処理が行われ、第２空気熱交換器(12)において室内の顕熱処理が行われる。つまり、室内空気(RA)は、一部（吸着用空気）が第２吸着熱交換器(14)を通過する際に水分が吸着剤に吸着されることで減湿（潜熱処理）されて室内に戻り、他の一部が第２空気熱交換器(12)を通過する際に冷却（顕熱処理）されて室内に戻る。こうすることにより、室内の冷房と除湿を効率よく行うことができる。
【０１５５】
第１吸着熱交換器(13)では、室内空気(RA)の他の一部（再生用空気）が通過することで吸着剤が再生される。また、室外空気(OA)は、空気熱交換器(11)を通過する際に冷媒と熱交換し、排出空気(EA)として室外に排出される。
【０１５６】
一方、上記吸着ロータ(50)では、低温であって相対湿度の高い吸着用空気が減湿され、高温であって相対湿度の低い再生用空気が加湿される。このため、吸着用空気は吸着ロータ(50)と第２吸着熱交換器(14)とで２段階に減湿されてから室内に供給される。また、再生用空気は第１吸着熱交換器(13)と吸着ロータ(50)で吸着剤を２度再生してから室外に排出される。
【０１５７】
また、第２運転時、圧縮機(21)から吐出された冷媒の一部は、第１空気熱交換器(11)で凝縮した後、第１膨張弁(31)で膨張し、第２空気熱交換器(12)で蒸発して圧縮機(21)に吸入される。圧縮機(21)から吐出された冷媒の残りは、第２吸着熱交換器(14)で凝縮した後、第２膨張弁(32)で膨張し、第１吸着熱交換器(13)で蒸発して圧縮機(21)に吸入される。
【０１５８】
その際、冷媒回路(20)では、第１吸着熱交換器(13)において室内の潜熱処理が行われ、第２空気熱交換器(12)において室内の顕熱処理が行われる。つまり、室内空気(RA)は、一部（吸着用空気）が第１吸着熱交換器(13)を通過する際に水分が吸着剤に吸着されることで減湿（潜熱処理）されて室内に戻り、他の一部が第２空気熱交換器(12)を通過する際に冷却（顕熱処理）されて室内に戻る。こうすることにより、室内の冷房と除湿を効率よく行うことができる。
【０１５９】
第２吸着熱交換器(14)では、室内空気(RA)の他の一部（再生用空気）が通過することで吸着剤が再生される。また、室外空気(OA)は、空気熱交換器(11)を通過する際に冷媒と熱交換し、排出空気(EA)として室外に排出される。
【０１６０】
一方、上記吸着ロータ(50)では、低温であって相対湿度の高い吸着用空気が減湿され、高温であって相対湿度の低い再生用空気が加湿される。このため、吸着用空気は吸着ロータ(50)と第１吸着熱交換器(13)とで２段階に減湿されてから室内に供給される。また、再生用空気は第２吸着熱交換器(14)と吸着ロータ(50)で吸着剤を２度再生してから室外に排出される。
【０１６１】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷が大きくなるほど短い時間間隔で切り換えられる。これにより、室内の潜熱負荷が大きいときは切換頻度を多くすることで除湿量を多くして室内の快適性を高め、逆に室内の潜熱負荷が小さいときは切換頻度を少なくすることで除湿量を少なくして省エネ性を高められる。
【０１６２】
（暖房加湿運転）
暖房加湿運転時、第１四路切換弁(25)は第２の状態に切り換わり、図８（Ａ）の第１運転と図８（Ｂ）の第２運転とを交互に行う。そして、第１運転時は第２四路切換弁(26)が第１の状態に切り換わり、第２運転時は第２四路切換弁(26)が第２の状態に切り換わる。また、第１運転時と第２運転時のいずれも、膨張弁(23)は所定開度に絞られる。
【０１６３】
この状態において、第１運転時、圧縮機(21)から吐出された冷媒の一部は、第２空気熱交換器(12)で凝縮した後、第１膨張弁(31)で膨張し、第１空気熱交換器(11)で蒸発して圧縮機(21)に吸入される。また、圧縮機(21)から吐出された冷媒の残りは、第２吸着熱交換器(14)で凝縮した後、第２膨張弁(32)で膨張し、第１吸着熱交換器(13)で蒸発して圧縮機(21)に戻る。
【０１６４】
その際、冷媒回路(20)では、第２吸着熱交換器(14)において室内の潜熱処理が行われ、第２空気熱交換器(12)において室内の顕熱処理が行われる。つまり、室内空気(RA)は、一部（再生用空気）が第２吸着熱交換器(14)を通過する際に吸着剤を再生することで加湿（潜熱処理）されて室内に戻り、他の一部が第２空気熱交換器(12)を通過する際に加熱（顕熱処理）されて室内に戻る。こうすることにより、室内の暖房と加湿を効率よく行うことができる。
【０１６５】
第１吸着熱交換器(13)では、室内空気(RA)の他の一部（吸着用空気）が通過することで吸着剤に水分が与えられる。また、室外空気(OA)は、空気熱交換器(11)を通過する際に冷媒と熱交換し、排出空気(EA)として室外に排出される。
【０１６６】
一方、上記吸着ロータ(50)では、高温であって相対湿度の低い再生用空気が加湿され、低温であって相対湿度の高い吸着用空気が減湿される。このため、再生用空気は第２吸着熱交換器(14)と吸着ロータ(50)で２段階に加湿されてから室内に供給される。また、吸着用空気は吸着ロータ(50)と第１吸着熱交換器(13)で吸着剤に２度水分を奪われてから室外に排出される。
【０１６７】
また、第２運転時、圧縮機(21)から吐出された冷媒の一部は、第２空気熱交換器(12)で凝縮した後、第１膨張弁(31)で膨張し、第１空気熱交換器(11)で蒸発して圧縮機(21)に吸入される。圧縮機(21)から吐出された冷媒の残りは、第１吸着熱交換器(13)で凝縮した後、第２膨張弁(32)で膨張し、第２吸着熱交換器(14)で蒸発して圧縮機(21)に戻る。
【０１６８】
その際、冷媒回路(20)では、第１吸着熱交換器(13)において室内の潜熱処理が行われ、第２空気熱交換器(12)において室内の顕熱処理が行われる。つまり、室内空気(RA)は、一部（再生用空気）が第１吸着熱交換器(13)を通過する際に吸着剤を再生することで加湿（潜熱処理）されて室内に戻り、他の一部が第２空気熱交換器(12)を通過する際に加熱（顕熱処理）されて室内に戻る。こうすることにより、室内の暖房と加湿を効率よく行うことができる。
【０１６９】
第２吸着熱交換器(14)では、室内空気(RA)の他の一部（吸着用空気）が通過することで吸着剤に水分が与えられる。また、室外空気(OA)は、空気熱交換器(11)を通過する際に冷媒と熱交換し、排出空気(EA)として室外に排出される。
【０１７０】
一方、上記吸着ロータ(50)では、高温であって相対湿度の低い再生用空気が加湿され、低温であって相対湿度の高い吸着用空気が減湿される。このため、再生用空気は第１吸着熱交換器(13)と吸着ロータ(50)で２段階に加湿されてから室内に供給される。また、吸着用空気は吸着ロータ(50)と第２吸着熱交換器(14)で吸着剤に２度水分を奪われてから室外に排出される。
【０１７１】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷に応じた時間間隔で切り換えられる。
【０１７２】
−実施形態４の効果−
この実施形態４においても、冷房除湿運転時には、吸着用空気（室内空気(RA)）を吸着ロータ(50)と吸着熱交換器(13,14)で２段階に減湿しているので、装置の除湿能力を高められる。また、暖房加湿運転時には、再生用空気（室内空気(RA)）を吸着熱交換器(13,14)と吸着ロータ(50)で２段階に加湿しているので、装置の加湿能力を高められる。
【０１７３】
また、実施形態１〜３と同様に、室内の潜熱負荷が大きいときは第１運転と第２運転の切換頻度を多くし、逆に潜熱負荷が小さいときは第１運転と第２運転の切換頻度を少なくすることにより、室内の快適性と省エネ性のバランスに優れた運転を行うことが可能となる。
【０１７４】
《発明の実施形態５》
実施形態５に係る空気調和装置(10)は、図９及び図１０に示すように、実施形態４と冷媒回路(20)と潜熱処理素子(50)の構成は同じである。このため、具体的な構成について、説明は省略する。
【０１７５】
実施形態４と実施形態５で異なる点は、実施形態４の装置を室内への給気量よりも室外への排気量が多い排気扇タイプに構成しているのに対して、実施形態５の装置を室内への給気量と室外への排気量がバランスする換気扇タイプに構成している点である。
【０１７６】
また、この実施形態において、冷房運転時、吸着ロータ(50)を通過する吸着用空気は吸着熱交換器(13,14) の一方を通過する前の室外空気(OA)であり、吸着ロータ(50)を通過する再生用空気は吸着熱交換器(13,14) の他方を通過した後の室内空気(RA)である。また、暖房運転時、吸着ロータ(50)を通過する吸着用空気は吸着熱交換器(13,14) の一方を通過する前の室内空気(RA)であり、該吸着ロータ(50)を通過する再生用空気は吸着熱交換器(13,14) の他方を通過した後の室外空気(OA)である。冷房運転時と暖房運転時のいずれも、吸着ロータ(50)において吸着用空気と再生用空気とを比べると、吸着用空気が低温であって相対湿度が高く、再生用空気が高温であって相対湿度が低いため、吸着用空気が減湿されて再生用空気が加湿される。
【０１７７】
−運転動作−
この空気調和装置(10)の運転動作について説明する。なお、冷媒回路(20)における冷媒の流れは実施形態４と同じであるため、ここでは主に空気の流れについて説明する。
【０１７８】
（冷房除湿運転）
冷房除湿運転時、図９（Ａ）の第１運転と図９（Ｂ）の第２運転とを交互に行う。第１運転時は、第１空気熱交換器(11)と第１吸着熱交換器(13)が凝縮器となり、第２空気熱交換器(12)と第２吸着熱交換器(14)が蒸発器となる。
【０１７９】
この第１運転時、冷媒回路(20)では、第２吸着熱交換器(14)において室内の潜熱処理が行われ、第２空気熱交換器(12)において室内の顕熱処理が行われる。つまり、室外空気(OA)の一部（吸着用空気）が第２吸着熱交換器(14)を通過する際に水分が吸着剤に吸着されることで減湿（潜熱処理）されて室内に供給され、室内空気(RA)の一部が第２空気熱交換器(12)を通過する際に冷却（顕熱処理）されて室内に戻る。こうすることにより、室内の冷房と除湿を効率よく行うことができる。
【０１８０】
第１吸着熱交換器(13)では、室内空気(RA)の他の一部（再生用空気）が通過することで吸着剤が再生される。また、室外空気(OA)の他の一部は、空気熱交換器(11)を通過する際に冷媒と熱交換し、排出空気(EA)として室外に排出される。
【０１８１】
一方、上記吸着ロータ(50)では、低温であって相対湿度の高い吸着用空気が減湿され、高温であって相対湿度の低い再生用空気が加湿される。このため、吸着用空気は吸着ロータ(50)と第２吸着熱交換器(14)とで２段階に減湿されてから室内に供給される。また、再生用空気は第１吸着熱交換器(13)と吸着ロータ(50)で吸着剤を２度再生してから室外に排出される。
【０１８２】
また、第２運転時は、第１空気熱交換器(11)と第２吸着熱交換器(14)が凝縮器となり、第２空気熱交換器(12)と第１吸着熱交換器(13)が蒸発器となる。
【０１８３】
この第２運転時、冷媒回路(20)では、第１吸着熱交換器(13)において室内の潜熱処理が行われ、第２空気熱交換器(12)において室内の顕熱処理が行われる。つまり、室外空気(OA)の一部（吸着用空気）が第１吸着熱交換器(13)を通過する際に水分が吸着剤に吸着されることで減湿（潜熱処理）されて室内に供給され、室内空気(RA)の一部が第２空気熱交換器(12)を通過する際に冷却（顕熱処理）されて室内に戻る。こうすることにより、室内の冷房と除湿を効率よく行うことができる。
【０１８４】
第２吸着熱交換器(14)では、室内空気(RA)の他の一部（再生用空気）が通過することで吸着剤が再生される。また、室外空気(OA)の他の一部は、空気熱交換器(11)を通過する際に冷媒と熱交換し、排出空気(EA)として室外に排出される。
【０１８５】
一方、上記吸着ロータ(50)では、低温であって相対湿度の高い吸着用空気が減湿され、高温であって相対湿度の低い再生用空気が加湿される。このため、吸着用空気は吸着ロータ(50)と第１吸着熱交換器(13)とで２段階に減湿されてから室内に供給される。また、再生用空気は第２吸着熱交換器(14)と吸着ロータ(50)で吸着剤を２度再生してから室外に排出される。
【０１８６】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷が大きくなるほど短い時間間隔で切り換えられる。これにより、室内の潜熱負荷が大きいときは切換頻度を多くすることで除湿量を多くして室内の快適性を高め、逆に室内の潜熱負荷が小さいときは切換頻度を少なくすることで除湿量を少なくして省エネ性を高められる。
【０１８７】
（暖房加湿運転）
暖房加湿運転時、図１０（Ａ）の第１運転と図１０（Ｂ）の第２運転とを交互に行う。第１運転時は第２空気熱交換器(12)と第２吸着熱交換器(14)が凝縮器となり、第１空気熱交換器(11)と第１吸着熱交換器(13)が蒸発器となる。
【０１８８】
この第１運転時、冷媒回路(20)では、第２吸着熱交換器(14)において室内の潜熱処理が行われ、第２空気熱交換器(12)において室内の顕熱処理が行われる。つまり、室外空気(OA)の一部（再生用空気）が第２吸着熱交換器(14)を通過する際に吸着剤を再生することで加湿（潜熱処理）されて室内に供給され、室内空気(RA)の一部が第２空気熱交換器(12)を通過する際に加熱（顕熱処理）されて室内に戻る。こうすることにより、室内の暖房と加湿を効率よく行うことができる。
【０１８９】
第１吸着熱交換器(13)では、室内空気(RA)の他の一部（吸着用空気）が通過することで吸着剤に水分が与えられる。また、室外空気(OA)の他の一部は、空気熱交換器(11)を通過する際に冷媒と熱交換し、排出空気(EA)として室外に排出される。
【０１９０】
一方、上記吸着ロータ(50)では、高温であって相対湿度の低い再生用空気が加湿され、低温であって相対湿度の高い吸着用空気が減湿される。このため、再生用空気は第２吸着熱交換器(14)と吸着ロータ(50)で２段階に加湿されてから室内に供給される。また、吸着用空気は吸着ロータ(50)と第１吸着熱交換器(13)で吸着剤に２度水分を奪われてから室外に排出される。
【０１９１】
また、第２運転時は、第２空気熱交換器(12)と第１吸着熱交換器(13)が凝縮器となり、第１空気熱交換器(11)と第２吸着熱交換器(14)が蒸発器となる。
【０１９２】
この第２運転時、冷媒回路(20)では、第１吸着熱交換器(13)において室内の潜熱処理が行われ、第２空気熱交換器(12)において室内の顕熱処理が行われる。つまり、室外空気(OA)の一部（再生用空気）が第１吸着熱交換器(13)を通過する際に吸着剤を再生することで加湿（潜熱処理）されて室内に供給され、室内空気(RA)の一部が第２空気熱交換器(12)を通過する際に加熱（顕熱処理）されて室内に戻る。こうすることにより、室内の暖房と加湿を効率よく行うことができる。
【０１９３】
第２吸着熱交換器(14)では、室内空気(RA)の他の一部（吸着用空気）が通過することで吸着剤に水分が与えられる。また、室外空気(OA)の他の一部は、空気熱交換器(11)を通過する際に冷媒と熱交換し、排出空気(EA)として室外に排出される。
【０１９４】
一方、上記吸着ロータ(50)では、高温であって相対湿度の低い再生用空気が加湿され、低温であって相対湿度の高い吸着用空気が減湿される。このため、再生用空気は第１吸着熱交換器(13)と吸着ロータ(50)で２段階に加湿されてから室内に供給される。また、吸着用空気は吸着ロータ(50)と第２吸着熱交換器(14)で吸着剤に２度水分を奪われてから室外に排出される。
【０１９５】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷に応じた時間間隔で切り換えられる。
【０１９６】
−実施形態５の効果−
この実施形態５においても、冷房除湿運転時には、吸着用空気（室外空気(OA)）を吸着ロータ(50)と吸着熱交換器(13,14)で２段階に減湿しているので、装置の除湿能力を高められる。また、暖房加湿運転時には、再生用空気（室外空気(OA)）を吸着熱交換器(13,14)と吸着ロータ(50)で２段階に加湿しているので、装置の加湿能力を高められる。
【０１９７】
また、実施形態１〜４と同様に、室内の潜熱負荷が大きいときは第１運転と第２運転の切換頻度を多くし、逆に潜熱負荷が小さいときは第１運転と第２運転の切換頻度を少なくすることにより、室内の快適性と省エネ性のバランスに優れた運転を行うことが可能となる。
【０１９８】
《発明の実施形態６》
実施形態６に係る空気調和装置(10)は、図１１及び図１２に示すように、実施形態５と冷媒回路(20)の構成は同じである。このため、冷媒回路(20)の具体的な構成について、説明は省略する。
【０１９９】
実施形態５と実施形態６で異なる点は、実施形態５の装置では潜熱処理素子(50)として吸着ロータを用いているのに対して、実施形態６の装置では潜熱処理素子(50)として吸着冷却素子（吸着素子）(53,54) を用いている点である。吸着冷却素子(53,54) は、それぞれ水分の吸着と脱離とを行う第１吸着冷却素子（第１吸着素子）(53)及び第２吸着冷却素子（第２吸着素子）(54)により構成され、第１吸着冷却素子(53)で吸着用空気の水分を吸着すると同時に第２吸着冷却素子(54)を再生用空気で再生する動作と、第１吸着冷却素子(53)を再生用空気で再生すると同時に第２吸着冷却素子(54)で吸着用空気の水分を吸着する動作とを交互に行うように構成されている。また、第１吸着冷却素子(53)及び第２吸着冷却素子(54)は、吸着用空気が流通する際の吸着熱を吸熱する冷却用空気が流れるように構成されている。この冷却用空気には、吸着熱交換器(13,14) で加熱される前の再生用空気が用いられている。
【０２００】
また、この実施形態において、冷房運転時、吸着冷却素子(53,54) を通過する吸着用空気は吸着熱交換器(13,14) の一方を通過する前の室外空気(OA)であり、吸着冷却素子(53,54) を通過する再生用空気は吸着熱交換器(13,14) の他方を通過した後の室内空気(RA)である。また、暖房運転時、吸着冷却素子(53,54) の一方を通過する吸着用空気は吸着熱交換器(13,14) を通過する前の室内空気(RA)であり、該吸着冷却素子(53,54) を通過する再生用空気は吸着熱交換器(13,14) の他方を通過した後の室外空気(OA)である。冷房運転時と暖房運転時のいずれも、吸着冷却素子(53,54) において吸着用空気と再生用空気とを比べると、吸着用空気が低温であって相対湿度が高く、再生用空気が高温であって相対湿度が低いため、吸着用空気が減湿されて再生用空気が加湿される。
【０２０１】
−運転動作−
この空気調和装置(10)の運転動作について説明する。なお、冷媒回路(20)における冷媒の流れは上述の実施形態４と同じであるため、ここでは主に空気の流れについて説明する。
【０２０２】
（冷房除湿運転）
冷房除湿運転時、図１１（Ａ）の第１運転と図１１（Ｂ）の第２運転とを交互に行う。第１運転時は、第１空気熱交換器(11)と第１吸着熱交換器(13)が凝縮器となり、第２空気熱交換器(12)と第２吸着熱交換器(14)が蒸発器となる。
【０２０３】
この第１運転時、冷媒回路(20)では、第２吸着熱交換器(14)において室内の潜熱処理が行われ、第２空気熱交換器(12)において室内の顕熱処理が行われる。つまり、室外空気(OA)の一部（吸着用空気）が第２吸着熱交換器(14)を通過する際に水分が吸着剤に吸着されることで減湿（潜熱処理）されて室内に供給され、室内空気(RA)の一部が第２空気熱交換器(12)を通過する際に冷却（顕熱処理）されて室内に戻る。こうすることにより、室内の冷房と除湿を効率よく行うことができる。
【０２０４】
第１吸着熱交換器(13)では、室内空気(RA)の他の一部（再生用空気）が通過することで吸着剤が再生される。また、室外空気(OA)の他の一部は、空気熱交換器(11)を通過する際に冷媒と熱交換し、排出空気(EA)として室外に排出される。
【０２０５】
一方、上記第１吸着冷却素子(53)では、低温であって相対湿度の高い吸着用空気が減湿されるとともに、その際に発生する吸着熱が冷却用空気（第１吸着熱交換器(13)の通過前の再生用空気）で吸熱され、第２吸着冷却素子(54)では、高温であって相対湿度の低い再生用空気が加湿される。このため、吸着用空気は第１吸着冷却素子(53)と第２吸着熱交換器(14)とで２段階に減湿されてから室内に供給される。また、再生用空気は第１吸着冷却素子(53)で加熱された後に第１吸着熱交換器(13)と第２吸着冷却素子(54)で吸着剤を２度再生してから室外に排出される。
【０２０６】
また、第２運転時は、第１空気熱交換器(11)と第２吸着熱交換器(14)が凝縮器となり、第２空気熱交換器(12)と第１吸着熱交換器(13)が蒸発器となる。
【０２０７】
この第２運転時、冷媒回路(20)では、第１吸着熱交換器(13)において室内の潜熱処理が行われ、第２空気熱交換器(12)において室内の顕熱処理が行われる。つまり、室外空気(OA)の一部（吸着用空気）が第１吸着熱交換器(13)を通過する際に水分が吸着剤に吸着されることで減湿（潜熱処理）されて室内に供給され、室内空気(RA)の一部が第２空気熱交換器(12)を通過する際に冷却（顕熱処理）されて室内に戻る。こうすることにより、室内の冷房と除湿を効率よく行うことができる。
【０２０８】
第２吸着熱交換器(14)では、室内空気(RA)の他の一部（再生用空気）が通過することで吸着剤が再生される。また、室外空気(OA)の他の一部は、空気熱交換器(11)を通過する際に冷媒と熱交換し、排出空気(EA)として室外に排出される。
【０２０９】
一方、上記第２吸着冷却素子(54)では、低温であって相対湿度の高い吸着用空気が減湿されるとともに、その際に発生する吸着熱が冷却用空気（第２吸着熱交換器(14)の通過前の再生用空気）で吸熱され、第１吸着冷却素子(53)では、高温であって相対湿度の低い再生用空気が加湿される。このため、吸着用空気は第２吸着冷却素子(54)と第１吸着熱交換器(13)とで２段階に減湿されてから室内に供給される。また、再生用空気は第２吸着冷却素子(54)で加熱された後に第２吸着熱交換器(14)と第１吸着冷却素子(53)で吸着剤を２度再生してから室外に排出される。
【０２１０】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷が大きくなるほど短い時間間隔で切り換えられる。これにより、室内の潜熱負荷が大きいときは切換頻度を多くすることで除湿量を多くして室内の快適性を高め、逆に室内の潜熱負荷が小さいときは切換頻度を少なくすることで除湿量を少なくして省エネ性を高められる。
【０２１１】
（暖房加湿運転）
暖房加湿運転時、図１２（Ａ）の第１運転と図１２（Ｂ）の第２運転とを交互に行う。第１運転時は第２空気熱交換器(12)と第２吸着熱交換器(14)が凝縮器となり、第１空気熱交換器(11)と第１吸着熱交換器(13)が蒸発器となる。
【０２１２】
この第１運転時、冷媒回路(20)では、第２吸着熱交換器(14)において室内の潜熱処理が行われ、第２空気熱交換器(12)において室内の顕熱処理が行われる。つまり、室外空気(OA)の一部（再生用空気）が第２吸着熱交換器(14)を通過する際に吸着剤を再生することで加湿（潜熱処理）されて室内に供給され、室内空気(RA)の一部が第２空気熱交換器(12)を通過する際に加熱（顕熱処理）されて室内に戻る。こうすることにより、室内の暖房と加湿を効率よく行うことができる。
【０２１３】
第１吸着熱交換器(13)では、室内空気(RA)の他の一部（吸着用空気）が通過することで吸着剤に水分が与えられる。また、室外空気(OA)の他の一部は、空気熱交換器(11)を通過する際に冷媒と熱交換し、排出空気(EA)として室外に排出される。
【０２１４】
一方、上記第２吸着冷却素子(54)では、高温であって相対湿度の低い再生用空気が加湿され、第１吸着冷却素子(53)では、低温であって相対湿度の高い吸着用空気が減湿されるとともに、そのときに発生する吸着熱を冷却用空気（第２吸着熱交換器(14)の通過前の再生用空気）で吸熱している。このため、再生用空気は、第１吸着冷却素子(53)で加熱された後に第２吸着熱交換器(14)と第２吸着冷却素子(54)で２段階に加湿されてから室内に供給される。また、吸着用空気は第１吸着冷却素子(53)と第１吸着熱交換器(13)で吸着剤に２度水分を奪われてから室外に排出される。
【０２１５】
また、第２運転時は、第２空気熱交換器(12)と第１吸着熱交換器(13)が凝縮器となり、第１空気熱交換器(11)と第２吸着熱交換器(14)が蒸発器となる。
【０２１６】
この第２運転時、冷媒回路(20)では、第１吸着熱交換器(13)において室内の潜熱処理が行われ、第２空気熱交換器(12)において室内の顕熱処理が行われる。つまり、室外空気(OA)の一部（再生用空気）が第１吸着熱交換器(13)を通過する際に吸着剤を再生することで加湿（潜熱処理）されて室内に供給され、室内空気(RA)の一部が第２空気熱交換器(12)を通過する際に加熱（顕熱処理）されて室内に戻る。こうすることにより、室内の暖房と加湿を効率よく行うことができる。
【０２１７】
第２吸着熱交換器(14)では、室内空気(RA)の他の一部（吸着用空気）が通過することで吸着剤に水分が与えられる。また、室外空気(OA)の他の一部は、空気熱交換器(11)を通過する際に冷媒と熱交換し、排出空気(EA)として室外に排出される。
【０２１８】
一方、上記第１吸着冷却素子(53)では、高温であって相対湿度の低い再生用空気が加湿され、第２吸着冷却素子(54)では、低温であって相対湿度の高い吸着用空気が減湿されるとともに、そのときに発生する吸着熱を冷却用空気（第１吸着熱交換器(13)の通過前の再生用空気）で吸熱している。このため、再生用空気は、第２吸着冷却素子(54)で加熱された後に第１吸着熱交換器(13)と第１吸着冷却素子(53)で２段階に加湿されてから室内に供給される。また、吸着用空気は第２吸着冷却素子(54)と第２吸着熱交換器(14)で吸着剤に２度水分を奪われてから室外に排出される。
【０２１９】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷に応じた時間間隔で切り換えられる。
【０２２０】
−実施形態６の効果−
この実施形態６においても、冷房除湿運転時には、吸着用空気（室外空気(OA)）を吸着冷却素子(53,54) と吸着熱交換器(13,14)で２段階に減湿しているので、装置の除湿能力を高められる。また、暖房加湿運転時には、再生用空気（室外空気(OA)）を吸着熱交換器(13,14)と吸着冷却素子(53,54) で２段階に加湿しているので、装置の加湿能力を高められる。
【０２２１】
また、実施形態１〜５と同様に、室内の潜熱負荷が大きいときは第１運転と第２運転の切換頻度を多くし、逆に潜熱負荷が小さいときは第１運転と第２運転の切換頻度を少なくすることにより、室内の快適性と省エネ性のバランスに優れた運転を行うことが可能となる。
【０２２２】
《発明の実施形態７》
実施形態７に係る空気調和装置(10)は、図１３及び図１４に示すように、上記各実施形態における冷媒回路(20)の代わりに、冷温水が流れる冷温水回路(40)を備えている。この冷温水回路(40)は、冷温水と空気とが熱交換を行う複数の熱交換器(11,12,13,14) を有している。また、この冷温水回路(40)は、上記の複数の熱交換器(11,12,13,14) として、２つの空気熱交換器(11,12) と、２つの吸着熱交換器(13,14) とを備えている。
【０２２３】
この冷温水回路(40)は、温水源(41)と、冷水源(42)と、室外熱交換器(43)と、室内熱交換器(44)とを備えている。そして、室外熱交換器(43)が第１空気熱交換器(11)により構成され、室内熱交換器(44)が第２空気熱交換器(12)と第１吸着熱交換器(13)と第２吸着熱交換器(14)とにより構成されている。
【０２２４】
この冷温水回路(40)において、第１吸着熱交換器(13)と第２吸着熱交換器(14)とは互いに並列に接続され、第１空気熱交換器(11)と第２空気熱交換器(12)とは互いに並列に接続されている。さらに、第１吸着熱交換器(13)及び第２吸着熱交換器(14)と、第１空気熱交換器(11)及び第２空気熱交換器(12)は、温水源(41)及び冷水源(42)に対して互いに直列に接続されている。
【０２２５】
上記冷温水回路(40)は、第１吸着熱交換器(13)及び第２吸着熱交換器(14)の一方に温水を流すとともに他方に冷水を流すように冷温水の流れ方向を切り換える第１切換機構(45)として、第１吸着熱交換器(13)の一端に接続された三方弁(A1)、その他端に接続された三方弁(A2)、第２吸着熱交換器(14)の一端に接続された三方弁(B1)、及びその他端に接続された三方弁(B2)を備えている。また、上記冷温水回路(40)は、第１空気熱交換器(11)と第２空気熱交換器(12)の一方に温水を流すとともに他方に冷水を流すように冷温水の流れ方向を切り換える第２切換機構(46)として、第１空気熱交換器(11)の一端に接続された三方弁(C1)、その他端に接続された三方弁(C2)、第２空気熱交換器(12)の一端に接続された三方弁(D1)、及びその他端に接続された三方弁(D2)を備えている。
【０２２６】
上記温水源(41)には、三方弁(A1)と三方弁(B1)がそれぞれの温水流入ポート(Pi1) において並列に接続され、上記冷水源(42)には、三方弁(A1)と三方弁(B1)がそれぞれの冷水流入ポート(Pi2) において並列に接続されている。
【０２２７】
三方弁(A2)及び三方弁(B2)と、三方弁(C1)及び三方弁(D1)とは、三方弁(A2)及び三方弁(B2)に対して三方弁(C1)及び三方弁(D1)が並列になり、且つ、三方弁(C1)及び三方弁(D1)に対して三方弁(A2)及び三方弁(B2)が並列になるように接続されている。そして、三方弁(A2)及び三方弁(B2)の各温水流出ポート(Po1) は、互いに連通するとともに、三方弁(C1)及び三方弁(D1)の各温水流入ポート(Pi1) とも連通している。また、三方弁(A2)及び三方弁(B2)の各冷水流出ポート(Po2) は、互いに連通するとともに、三方弁(C1)及び三方弁(D1)の各冷水流入ポート(Pi2) とも連通している。
【０２２８】
上記温水源(41)には、三方弁(C2)と三方弁(D2)がそれぞれの温水流出ポート(Po1) において並列に接続され、上記冷水源(42)には、三方弁(C2)と三方弁(D2)がそれぞれの冷水流出ポート(Po2) において並列に接続されている。
【０２２９】
さらに、この空気調和装置(10)は、吸着用空気と再生用空気の潜熱処理を行う潜熱処理素子(50)を備えている。この潜熱処理素子(50)は、吸着用空気の流通通路と再生用空気の流通通路とに跨って配置されるとともに回転可能な吸着ロータ(50)により構成されている。
【０２３０】
また、この実施形態において、冷房運転時、吸着ロータ(50)を通過する吸着用空気は吸着熱交換器(13,14) の一方を通過する前の室外空気(OA)であり、吸着ロータ(50)を通過する再生用空気は吸着熱交換器(13,14) の他方を通過した後の室内空気(RA)である。また、暖房運転時、吸着ロータ(50)を通過する吸着用空気は吸着熱交換器(13,14) の一方を通過する前の室内空気(RA)であり、該吸着ロータ(50)を通過する再生用空気は吸着熱交換器(13,14) の他方を通過した後の室外空気(OA)である。冷房運転時と暖房運転時のいずれも、吸着ロータ(50)において吸着用空気と再生用空気とを比べると、吸着用空気が低温であって相対湿度が高く、再生用空気が高温であって相対湿度が低いため、吸着用空気が減湿されて再生用空気が加湿される。
【０２３１】
−運転動作−
次に、この空気調和装置(10)の運転動作について説明する。
【０２３２】
（冷房除湿運転）
冷房除湿運転時、図１３（Ａ）の第１運転と図１３（Ｂ）の第２運転とを交互に行う。第１運転時は、各三方弁(A1〜D2)において図１３（Ａ）の実線で示したポートが開かれ、破線で示したポートが閉じられることで、第１空気熱交換器(11)と第２吸着熱交換器(14)が加熱器となり、第２空気熱交換器(12)と第１吸着熱交換器(13)が冷却器となる。
【０２３３】
この状態で、室外空気(OA)の一部が第１空気熱交換器(11)を通過し、排出空気(EA)として室外に排出されるとともに、室内空気(RA)の一部が第２空気熱交換器(12)を通過し、供給空気(SA)として室内に戻る。一方、室外空気(OA)の他の一部は、吸着ロータ(50)を通過した後に第１吸着熱交換器(13)を通過してから供給空気(SA)として室内に供給され、室内空気(RA)の他の一部は、第２吸着熱交換器(14)を通過した後に吸着ロータ(50)を通過してから排出空気(EA)として室外に排出される。
【０２３４】
その際、冷温水回路(40)では、第１吸着熱交換器(13)において主に室内の潜熱処理が行われ、第２空気熱交換器(12)において主に室内の顕熱処理が行われる。つまり、室外空気(OA)の一部が第１吸着熱交換器(13)を通過することによって主に減湿されて室内に供給され、室内空気(RA)の一部が第２空気熱交換器(12)を通過することによって主に冷却されて室内に戻る。こうすることにより、室内の冷房と除湿を効率よく行うことができる。
【０２３５】
また、上記吸着ロータ(50)では、低温で相対湿度の高い吸着用空気が減湿される一方、高温で相対湿度の低い再生用空気が加湿される。このため、吸着用空気は、吸着ロータ(50)と第１吸着熱交換器(13)とで２段階に減湿されて室内に供給される。また、再生用空気は、第２吸着熱交換器(14)と吸着ロータ(50)とで吸着剤を２度再生してから室外に排出される。
【０２３６】
第２運転時は、各三方弁(A1〜D2)において図１３（Ｂ）の実線で示したポートが開かれ、破線で示したポートが閉じられることで、第１空気熱交換器(11)と第１吸着熱交換器(13)が加熱器となり、第２空気熱交換器(12)と第２吸着熱交換器(14)が冷却器となる。
【０２３７】
この状態で、室外空気(OA)の一部が第１空気熱交換器(11)を通過し、排出空気(EA)として室外に排出されるとともに、室内空気(RA)の一部が第２空気熱交換器(12)を通過し、供給空気(SA)として室内に戻る。一方、室外空気(OA)の他の一部は、吸着ロータ(50)を通過した後に第２吸着熱交換器(14)を通過してから供給空気(SA)として室内に供給され、室内空気(RA)の他の一部は、第１吸着熱交換器(13)を通過した後に吸着ロータ(50)を通過してから排出空気(EA)として室外に排出される。
【０２３８】
その際、冷温水回路(40)では、第２吸着熱交換器(14)において主に室内の潜熱処理が行われ、第２空気熱交換器(12)において主に室内の顕熱処理が行われる。つまり、室外空気(OA)の一部が第２吸着熱交換器(14)を通過することによって主に減湿されて室内に供給され、室内空気(RA)の一部が第２空気熱交換器(12)を通過することによって主に冷却されて室内に戻る。こうすることにより、室内の冷房と除湿を効率よく行うことができる。
【０２３９】
また、上記吸着ロータ(50)では、低温で相対湿度の高い吸着用空気が減湿される一方、高温で相対湿度の低い再生用空気が加湿される。このため、吸着用空気は、吸着ロータ(50)と第２吸着熱交換器(14)とで２段階に減湿されて室内に供給される。また、再生用空気は、第１吸着熱交換器(13)と吸着ロータ(50)とで吸着剤を２度再生してから室外に排出される。
【０２４０】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷が大きくなるほど短い時間間隔で切り換えられる。
【０２４１】
（暖房加湿運転）
暖房加湿運転時、図１４（Ａ）の第１運転と図１４（Ｂ）の第２運転とを交互に行う。第１運転時は、各三方弁(A1〜D2)において図１４（Ａ）の実線で示したポートが開かれ、破線で示したポートが閉じられることで、第２空気熱交換器(12)と第２吸着熱交換器(14)が加熱器となり、第１空気熱交換器(11)と第１吸着熱交換器(13)が冷却器となる。
【０２４２】
この状態で、室外空気(OA)の一部が第１空気熱交換器(11)を通過し、排出空気(EA)として室外に排出されるとともに、室内空気(RA)の一部が第２空気熱交換器(12)を通過し、供給空気(SA)として室内に戻る。一方、室外空気(OA)の他の一部は、第２吸着熱交換器(14)を通過した後に吸着ロータ(50)を通過してから供給空気(SA)として室内に供給され、室内空気(RA)の他の一部は、吸着ロータ(50)を通過した後に第１吸着熱交換器(13)を通過してから排出空気(EA)として室外に排出される。
【０２４３】
その際、冷温水回路(40)では、第２吸着熱交換器(14)において主に室内の潜熱処理が行われ、第２空気熱交換器(12)において主に室内の顕熱処理が行われる。つまり、室外空気(OA)の一部が第２吸着熱交換器(14)を通過することによって主に加湿されて室内に供給され、室内空気(RA)の一部が第２空気熱交換器(12)を通過することによって主に加熱されて室内に戻る。こうすることにより、室内の暖房と加湿を効率よく行うことができる。
【０２４４】
また、上記吸着ロータ(50)では、高温で相対湿度の低い再生用空気が加湿される一方、低温で相対湿度の高い吸着用空気が減湿される。このため、再生用空気は、第２吸着熱交換器(14)と吸着ロータ(50)とで２段階に加湿されてから室内に供給される。また、吸着用空気は、吸着ロータ(50)と第１吸着熱交換器(13)とで吸着剤に水分を２度奪われてから室外に排出される。
【０２４５】
第２運転時は、各三方弁(A1〜D2)において図１４（Ｂ）の実線で示したポートが開かれ、破線で示したポートが閉じられることで、第２空気熱交換器(12)と第１吸着熱交換器(13)が加熱器となり、第１空気熱交換器(11)と第２吸着熱交換器(14)が冷却器となる。
【０２４６】
この状態で、室外空気(OA)の一部が第１空気熱交換器(11)を通過し、排出空気(EA)として室外に排出されるとともに、室内空気(RA)の一部が第２空気熱交換器(12)を通過し、供給空気(SA)として室内に戻る。一方、室外空気(OA)の他の一部は、第１吸着熱交換器(13)を通過した後に吸着ロータ(50)を通過してから供給空気(SA)として室内に供給され、室内空気(RA)の他の一部は、吸着ロータ(50)を通過した後に第２吸着熱交換器(14)を通過してから排出空気(EA)として室外に排出される。
【０２４７】
その際、冷温水回路(40)では、第１吸着熱交換器(13)において主に室内の潜熱処理が行われ、第２空気熱交換器(12)において主に室内の顕熱処理が行われる。つまり、室外空気(OA)の一部が第１吸着熱交換器(13)を通過することによって主に加湿されて室内に供給され、室内空気(RA)の一部が第２空気熱交換器(12)を通過することによって主に加熱されて室内に戻る。こうすることにより、室内の暖房と加湿を効率よく行うことができる。
【０２４８】
また、上記吸着ロータ(50)では、高温で相対湿度の低い再生用空気が加湿される一方、低温で相対湿度の高い吸着用空気が減湿される。このため、再生用空気は、第１吸着熱交換器(13)と吸着ロータ(50)とで２段階に加湿されてから室内に供給される。また、吸着用空気は、吸着ロータ(50)と第２吸着熱交換器(14)とで吸着剤に水分を２度奪われてから室外に排出される。
【０２４９】
以上のようにして第１運転と第２運転とを交互に繰り返すことにより、室内の顕熱負荷を連続的に処理しながら、室内の潜熱負荷も連続的に処理される。このときも、第１運転と第２運転は、室内の潜熱負荷が大きくなるほど短い時間間隔で切り換えられる。
【０２５０】
−変形例−
この実施形態７では、第１吸着熱交換器(13)及び第２吸着熱交換器(14)と第１空気熱交換器(11)及び第２空気熱交換器(12)とを温水源(41)及び冷水源(42)に対して直列に接続した例について説明したが、第１吸着熱交換器(13)及び第２吸着熱交換器(14)と第１空気熱交換器(11)及び第２空気熱交換器(12)とは温水源(41)及び冷水源(42)に対して並列に接続してもよい。
【０２５１】
また、この実施形態７では冷温水回路(40)を冷温水が循環する閉サイクルの回路として構成しているが、冷温水回路(40)は各熱交換器(11〜14)を通過した冷温水が外部に排出される開放サイクルの回路にしてもよい。
【０２５２】
《発明の実施形態８》
実施形態８に係る空気調和装置(10)は、図１５及び図１６に示すように、冷媒回路(20)と冷温水回路(40)を併用した例である。この実施形態８では、２つの吸着熱交換器（第１吸着熱交換器(13)及び第２吸着熱交換器(14)）に冷温水回路(40)が接続され、２つの空気熱交換器（第１空気熱交換器(11)及び第２空気熱交換器(12)）に冷媒回路(20)が接続されている。そして、第１空気熱交換器(11)により室外熱交換器(22)が構成され、第２空気熱交換器(12)、第１吸着熱交換器(13)、及び第２吸着熱交換器(14)により室内熱交換器(24)(44)が構成されている。
【０２５３】
冷媒回路(20)は、圧縮機(21)と、第１空気熱交換器(11)と、膨張機構である膨張弁(23)と、第２空気熱交換器(12)とが接続された閉回路に構成されるとともに、切換機構としての四路切換弁(25)を備えている。上記冷媒回路(20)において、圧縮機(21)の吐出側は四路切換弁(25)の第１ポート(P1)に接続されている。四路切換弁(25)の第２ポート(P2)は第１空気熱交換器(11)に接続され、第１空気熱交換器(11)には膨張弁(23)と第２空気熱交換器(12)が順に直列に接続されている。第２空気熱交換器(12)は四路切換弁(25)の第３ポート(P3)に接続され、四路切換弁(25)の第４ポート(P4)は圧縮機(21)の吸入側に接続されている。
【０２５４】
上記四路切換弁(25)は、第１ポート(P1)と第２ポート(P2)が連通し、第３ポート(P3)と第４ポート(P4)が連通する第１の状態（図１５（Ａ），図１５（Ｂ）の実線参照）と、第１ポート(P1)と第３ポート(P3)が連通し、第２ポート(P2)と第４ポート(P4)が連通する第２の状態（図１６（Ａ），図１６（Ｂ）の実線参照）とに切り換えることができる。この四路切換弁(25)を第１状態と第２状態に切り換えることにより、冷媒回路(20)における冷媒の流れ方向を反転させることができる。
【０２５５】
冷温水回路(40)は、温水源(41)と、冷水源(42)と、互いに並列に接続された第１吸着熱交換器(13)及び第２吸着熱交換器(14)とを備えている。また、上記冷温水回路(40)は、第１吸着熱交換器(13)及び第２吸着熱交換器(14)の一方に温水を流すとともに他方に冷水を流すように冷温水の流れ方向を切り換える切換機構(45)として、第１吸着熱交換器(13)の一端に接続された三方弁(A1)、その他端に接続された三方弁(A2)、第２吸着熱交換器(14)の一端に接続された三方弁(B1)、及びその他端に接続された三方弁(B2)を備えている。
【０２５６】
上記温水源(41)には、三方弁(A1)と三方弁(B1)がそれぞれの温水流入ポート(Pi1) において並列に接続され、上記冷水源(42)には、三方弁(A1)と三方弁(B1)がそれぞれの冷水流入ポート(Pi2) において並列に接続されている。また、上記温水源(41)には、三方弁(A2)と三方弁(B2)がそれぞれの温水流出ポート(Po1) において並列に接続され、上記冷水源(42)には、三方弁(A2)と三方弁(B2)がそれぞれの冷水流出ポート(Po2) において並列に接続されている。
【０２５７】
この空気調和装置(10)は、実施形態７と同様に、吸着用空気と再生用空気の潜熱処理を行う潜熱処理素子(50)を備えている。この潜熱処理素子(50)は、吸着用空気の流通通路と再生用空気の流通通路とに跨って配置されるとともに回転可能な吸着ロータ(50)により構成されている。
【０２５８】
また、この実施形態において、冷房運転時、吸着ロータ(50)を通過する吸着用空気は吸着熱交換器(13,14) の一方を通過する前の室外空気(OA)であり、吸着ロータ(50)を通過する再生用空気は吸着熱交換器(13,14) の他方を通過した後の室内空気(RA)である。また、暖房運転時、吸着ロータ(50)を通過する吸着用空気は吸着熱交換器(13,14) の一方を通過する前の室内空気(RA)であり、該吸着ロータ(50)を通過する再生用空気は吸着熱交換器(13,14) の他方を通過した後の室外空気(OA)である。冷房運転時と暖房運転時のいずれも、吸着ロータ(50)において吸着用空気と再生用空気とを比べると、吸着用空気が低温であって相対湿度が高く、再生用空気が高温であって相対湿度が低いため、吸着用空気が減湿されて再生用空気が加湿される。
【０２５９】
−運転動作−
（冷房除湿運転）
冷房除湿運転時、図１５（Ａ）の第１運転と図１５（Ｂ）の第２運転とを交互に行う。第１運転時は、各三方弁(A1〜D2)において図１５（Ａ）の実線で示したポートが開かれ、破線で示したポートが閉じられることで、第２吸着熱交換器(14)が加熱器となり、第１吸着熱交換器(13)が冷却器となるとともに、四路切換弁(25)が第１の状態に切り換わることで、第１空気熱交換器(11)が凝縮器となり、第２空気熱交換器(12)が蒸発器となる。
【０２６０】
また、第２運転時は、各三方弁(A1〜D2)において図１５（Ｂ）の実線で示したポートが開かれ、破線で示したポートが閉じられることで、第１吸着熱交換器(13)が加熱器となり、第２吸着熱交換器(14)が冷却器となるとともに、四路切換弁(25)は第１の状態のままであるため、第１空気熱交換器(11)が凝縮器となり、第２空気熱交換器(12)が蒸発器となる。
【０２６１】
この冷房除湿運転の第１運転時と第２運転時の空気の流れは実施形態７と同じである。このため、具体的な動作についてはここでは説明を省略する。
【０２６２】
（暖房加湿運転）
暖房加湿運転時、図１６（Ａ）の第１運転と図１６（Ｂ）の第２運転とを交互に行う。第１運転時は、各三方弁(A1〜D2)において図１６（Ａ）の実線で示したポートが開かれ、破線で示したポートが閉じられることで、第２吸着熱交換器(14)が加熱器となり、第１吸着熱交換器(13)が冷却器となるとともに、四路切換弁(25)が第２の状態に切り換わることで、第２空気熱交換器(12)が凝縮器となり、第１空気熱交換器(11)が蒸発器となる。
【０２６３】
また、第２運転時は、各三方弁(A1〜D2)において図１６（Ｂ）の実線で示したポートが開かれ、破線で示したポートが閉じられることで、第１吸着熱交換器(13)が加熱器となり、第２吸着熱交換器(14)が冷却器となるとともに、四路切換弁(25)は第２の状態のままであるため、第２空気熱交換器(12)が凝縮器となり、第１空気熱交換器(11)が蒸発器となる。
【０２６４】
この暖房加湿運転の第１運転時と第２運転時の空気の流れは実施形態７と同じである。このため、具体的な動作については、冷房除湿運転と同様にここでは説明を省略する。
【０２６５】
−変形例−
この実施形態８では、冷温水回路(40)に第１吸着熱交換器(13)と第２吸着熱交換器(14)とを設け、冷媒回路(20)に第１空気熱交換器(11)と第２空気熱交換器(12)とを設けているが、その逆に、冷温水回路(40)に第１空気熱交換器(11)と第２空気熱交換器(12)とを設け、冷媒回路(20)に第１吸着熱交換器(13)と第２吸着熱交換器(14)とを設けてもよい。
【０２６６】
《発明の実施形態９》
実施形態９に係る空気調和装置(10)は、室内の調湿を行う装置に関するものである。この空気調和装置は、図１７に示すように、冷媒回路(20)が、圧縮機(21)と、四路切換弁（25）と、第１吸着熱交換器(13)と、膨張機構(23)と、第２吸着熱交換器(14)とを備え、冷媒の循環方向が可逆に構成されている。
【０２６７】
この空気調和装置(10)は、潜熱処理素子として、２つの吸着素子（第１吸着素子(51)及び第２吸着素子(52)）を備えている。第１吸着素子(51)及び第２吸着素子(52)は、それぞれ、水分の吸着と脱離とを行うように構成されている。そして、第１吸着熱交換器(13)及び第１吸着素子(51)の吸着剤で吸着用空気の水分を吸着すると同時に第２吸着熱交換器(14)及び第２吸着素子(52)の吸着剤を再生用空気で再生する第１動作と、第１吸着熱交換器(13)及び第１吸着素子(51)の吸着剤を再生用空気で再生すると同時に第２吸着熱交換器(14)及び第２吸着素子(52)の吸着材で吸着用空気の水分を吸着する第２動作とを交互に行うように、空気の流通路と、冷媒回路における冷媒の流れ方向とが切り換えられる。
【０２６８】
第１吸着素子(51)及び第２吸着素子(52)は、それぞれ、第１吸着熱交換器(13)及び第２吸着熱交換器(14)の下流側に設けられている。ただし、場合によっては、第１吸着素子(51)及び第２吸着素子(52)を、第１吸着熱交換器(13)及び第２吸着熱交換器(14)の上流側に設けてもよい。
【０２６９】
−運転動作−
（除湿運転）
除湿運転時、四路切換弁(25)を交互に切り換えて、図１７（Ａ）の第１運転と図１７（Ｂ）の第２運転とを交互に行う。
【０２７０】
第１運転時、圧縮機(21)から吐出された冷媒は、第２吸着熱交換器(14)で凝縮した後、膨張弁(23)で膨張し、第１吸着熱交換器(13)で蒸発して圧縮機(21)に吸入される。そして、吸着用空気は、第１吸着熱交換器(13)と第１吸着素子(51)を通過し、水分が吸着剤に奪われて減湿される。一方、再生用空気は、第２吸着熱交換器(14)と第２吸着素子(52)を通過し、水分が吸着剤から与えられて加湿され、吸着剤は再生される。
【０２７１】
第２運転時、圧縮機(21)から吐出された冷媒は、第１吸着熱交換器(13)で凝縮した後、膨張弁(23)で膨張し、第２吸着熱交換器(14)で蒸発して圧縮機(21)に吸入される。そして、吸着用空気は、第２吸着熱交換器(14)と第２吸着素子(52)を通過し、水分が吸着剤に奪われて減湿される。一方、再生用空気は、第１吸着熱交換器(13)と第１吸着素子(51)を通過し、水分が吸着剤から与えられて加湿され、吸着剤は再生される。
【０２７２】
この除湿運転時は、第１運転と第２運転とを交互に繰り返しながら、吸着用空気を室内に供給し、再生用空気を室外に排出することで、室内を効率よく除湿できる。特に、吸着熱交換器(13,14) だけでなく、吸着素子(51,52) を設けたことにより、除湿性能を高められる。
【０２７３】
（加湿運転）
加湿運転時も、四路切換弁(25)を交互に切り換えて、図１７（Ａ）の第１運転と図１７（Ｂ）の第２運転とを交互に行う。
【０２７４】
第１運転時、圧縮機(21)から吐出された冷媒は、第２吸着熱交換器(14)で凝縮した後、膨張弁(23)で膨張し、第１吸着熱交換器(13)で蒸発して圧縮機(21)に吸入される。そして、再生用空気は、第２吸着熱交換器(14)と第２吸着素子(52)を通過し、水分が吸着剤から与えられて加湿される一方、吸着用空気は、第１吸着熱交換器(13)と第１吸着素子(51)を通過し、水分を吸着剤に与えて減湿される。
【０２７５】
第２運転時、圧縮機(21)から吐出された冷媒は、第１吸着熱交換器(13)で凝縮した後、膨張弁(23)で膨張し、第２吸着熱交換器(14)で蒸発して圧縮機(21)に吸入される。そして、再生用空気は、第１吸着熱交換器(13)と第１吸着素子(51)を通過し、水分が吸着剤から与えられて加湿される一方、吸着用空気は、第２吸着熱交換器(14)と第２吸着素子(52)を通過し、水分を吸着剤に与えて減湿される。
【０２７６】
この加湿運転時は、第１運転と第２運転とを交互に繰り返しながら、再生用空気を室内に供給し、吸着用空気を室外に排出することで、室内を効率よく加湿できる。特に、吸着熱交換器(13,14) だけでなく、吸着素子(51,52) を設けたことにより、加湿性能を高められる。
【０２７７】
−実施形態９の効果−
この実施形態では、調湿のみを行う空気調和装置において、吸着熱交換器(13,14) の大きさにより吸着剤の担持量が不足するときでも、その不足量を吸着素子(51,52) でカバーすることができ、潜熱能力を向上させることができる。また、吸着熱交換器(13,14) と吸着素子(51,52) の吸着剤を別材料にすることにより、広範囲の処理対象に対応することも可能となる。
【０２７８】
−実施形態９の変形例−
この実施形態においては、吸着熱交換器(13,14) として冷媒熱交換器を用いているが、水熱交換器を用いてもよいし、空気熱交換器を用いてもよい。
【０２７９】
また、冷媒熱交換器を用いる場合、吸着側では吸着熱により冷媒が蒸発して昇圧するので、この圧力を利用して冷媒を再生側に供給する回路を組むことも可能である。例えば、第１吸着熱交換器(13)の上端と第２吸着熱交換器(14)の下端を接続し、第２吸着熱交換器(14)の上端と第１吸着熱交換器(13)の下端を接続して閉回路を構成しておけば、吸着側から冷媒が押し出されて再生側へ流れるので、圧縮機を用いなくても冷媒を循環させることが可能となる。また、吸着側と再生側は交互に切り換えるとよい。
【０２８０】
《その他の実施形態》
本発明は、上記実施形態について、以下のような構成としてもよい。
【０２８１】
例えば、上記各実施形態では、空気熱交換器(11,12) 及び吸着熱交換器(13,14) を１枚または２枚用いた構成としているが、空気熱交換器(11,12) または吸着熱交換器(13,14) を３枚以上用いる構成にしてもよい。また、吸着熱交換器(13,14) は１枚にしてもよい。つまり、本発明は、少なくとも１つの熱交換器を、表面に吸着剤を担持した吸着熱交換器により構成した空気調和装置(10)において、第１空気と第２空気とが熱交換する熱交換素子(50)を用いたものであれば、熱交換器の枚数は適宜変更してもよい。
【０２８２】
また、実施形態１〜６の冷媒回路(20)を用いた構成において、冷媒回路(20)の具体的な構成は、適宜変更してもよい。
【０２８３】
さらに、冷温水回路(40)を用いた実施形態７において、潜熱処理を優先することを想定して、温水側、冷水側ともに、上流側に吸着熱交換器(13,14) を配置し、下流側に空気熱交換器(11,12) を配置するようにしているが、顕熱処理を優先することを想定して、上流側に空気熱交換器(11,12) を配置し、下流側に吸着熱交換器(13,14) を配置してもよい。
【０２８４】
また、上記実施形態１〜４は室内から室外に排出される空気の量が室内に供給される空気の量よりも多くなる排気扇タイプの空気調和装置(10)に本発明を適用した例、実施形態５〜８は室外に排出される空気の量と室内に供給される空気の量がバランスする換気扇タイプに適用した例であるが、本発明は、室外に排出される空気の量よりも室内に供給される空気の量が多くなる給気扇タイプに適用することも可能である。
【産業上の利用可能性】
【０２８５】
以上説明したように、本発明は、吸着熱交換器を用いた空気調和装置について有用である。
【図面の簡単な説明】
【０２８６】
【図１】実施形態１に係る空気調和装置の冷房除湿運転時における第１動作（Ａ）と第２動作（Ｂ）とを示す回路構成図である。
【図２】実施形態１に係る空気調和装置の暖房加湿運転時における第１動作（Ａ）と第２動作（Ｂ）とを示す回路構成図である。
【図３】実施形態２に係る空気調和装置の冷房除湿運転時における第１動作（Ａ）と第２動作（Ｂ）とを示す回路構成図である。
【図４】実施形態２に係る空気調和装置の暖房加湿運転時における第１動作（Ａ）と第２動作（Ｂ）とを示す回路構成図である。
【図５】実施形態３に係る空気調和装置の冷房除湿運転時における第１動作（Ａ）と第２動作（Ｂ）とを示す回路構成図である。
【図６】実施形態３に係る空気調和装置の暖房加湿運転時における第１動作（Ａ）と第２動作（Ｂ）とを示す回路構成図である。
【図７】実施形態４に係る空気調和装置の冷房除湿運転時における第１動作（Ａ）と第２動作（Ｂ）とを示す回路構成図である。
【図８】実施形態４に係る空気調和装置の暖房加湿運転時における第１動作（Ａ）と第２動作（Ｂ）とを示す回路構成図である。
【図９】実施形態５に係る空気調和装置の冷房除湿運転時における第１動作（Ａ）と第２動作（Ｂ）とを示す回路構成図である。
【図１０】実施形態５に係る空気調和装置の暖房加湿運転時における第１動作（Ａ）と第２動作（Ｂ）とを示す回路構成図である。
【図１１】実施形態６に係る空気調和装置の冷房除湿運転時における第１動作（Ａ）と第２動作（Ｂ）とを示す回路構成図である。
【図１２】実施形態６に係る空気調和装置の暖房加湿運転時における第１動作（Ａ）と第２動作（Ｂ）とを示す回路構成図である。
【図１３】実施形態７に係る空気調和装置の冷房除湿運転時における第１動作（Ａ）と第２動作（Ｂ）とを示す回路構成図である。
【図１４】実施形態７に係る空気調和装置の暖房加湿運転時における第１動作（Ａ）と第２動作（Ｂ）とを示す回路構成図である。
【図１５】実施形態８に係る空気調和装置の冷房除湿運転時における第１動作（Ａ）と第２動作（Ｂ）とを示す回路構成図である。
【図１６】実施形態８に係る空気調和装置の暖房加湿運転時における第１動作（Ａ）と第２動作（Ｂ）とを示す回路構成図である。
【図１７】実施形態９に係る空気調和装置の運転時における第１動作（Ａ）と第２動作（Ｂ）とを示す回路構成図である。
【符号の説明】
【０２８７】
(10)  空気調和装置
(11)  第１空気熱交換器
(12)  第２空気熱交換器
(13)  第１吸着熱交換器
(14)  第２吸着熱交換器
(15)  コントローラ（制御手段）
(16)  タイマ（切換間隔設定手段）
(20)  冷媒回路（熱媒体回路）
(40)  冷温水回路（熱媒体回路）
(50)  吸着ロータ（潜熱処理素子）
(51)  第１吸着素子（潜熱処理素子）
(52)  第２吸着素子（潜熱処理素子）
(53)  第１吸着冷却素子（潜熱処理素子）
(54)  第２吸着冷却素子（潜熱処理素子）
【図１】
2005164220.tif 000003
【図２】
2005164220.tif 000004
【図３】
2005164220.tif 000005
【図４】
2005164220.tif 000006
【図５】
2005164220.tif 000007
【図６】
2005164220.tif 000008
【図７】
2005164220.tif 000009
【図８】
2005164220.tif 000010
【図９】
2005164220.tif 000011
【図１０】
2005164220.tif 000012
【図１１】
2005164220.tif 000013
【図１２】
2005164220.tif 000014
【図１３】
2005164220.tif 000015
【図１４】
2005164220.tif 000016
【図１５】
2005164220.tif 000017
【図１６】
2005164220.tif 000018
【図１７】
2005164220.tif 000019